(57)【要約】  本開示は、移動端末と、基地局と、移動端末の動作方法と、基地局の動作方法と、に関する。移動端末は、移動通信システムにおいて、第１の帯域幅部分（ＢＰ１）および第２の帯域幅部分（ＢＰ２）の少なくとも一方を使用して基地局と通信する。第１の帯域幅部分（ＢＰ１）および第２の帯域幅部分（ＢＰ２）のいずれもシステム帯域幅内であり、第１の帯域幅部分（ＢＰ１）は第２の帯域幅部分（ＢＰ２）より小さい。本移動端末は、動作時に不連続受信（ＤＲＸ）サイクルの設定を受信する送受信機、を備えている。さらに本移動端末はプロセッサを備えており、このプロセッサは、動作時、ＤＲＸサイクルの設定の受信に応じて、ＤＲＸサイクル内の通信期間の少なくとも１つの間のダウンリンク通信を、少なくとも第１の帯域幅部分（ＢＰ１）および第２の帯域幅部分（ＢＰ２）のうちの特定の１つを使用するように設定する。【選択図】  図３Ｂ
2020529764.tif 000002
【特許請求の範囲】
【請求項１】
移動通信システムにおいて、システム帯域幅内の第１の帯域幅部分（ＢＰ１）および第２の帯域幅部分（ＢＰ２）の少なくとも一方を使用して基地局（２６０）と通信する移動端末（２１０）であって、前記第１の帯域幅部分（ＢＰ１）が前記第２の帯域幅部分（ＢＰ２）より小さく、前記移動端末が、
動作時、不連続受信（ＤＲＸ）サイクルの設定を受信する送受信機（２２０）と、
動作時、前記ＤＲＸサイクルの前記設定の受信に応じて、前記ＤＲＸサイクル内の通信期間の少なくとも１つの間のダウンリンク通信を、少なくとも前記第１の帯域幅部分（ＢＰ１）および前記第２の帯域幅部分（ＢＰ２）のうちの特定の１つを使用するように設定するプロセッサ（２３０）と、
を備えている、移動端末。
【請求項２】
動作時、前記プロセッサが、
前記ＤＲＸサイクル内の前記通信期間の少なくとも１つの間、少なくとも前記第１の帯域幅部分および前記第２の帯域幅部分のうちの特定の１つを使用することを示す帯域幅使用指示情報、
に従って、前記ダウンリンク通信を設定する、
請求項１に記載の移動端末。
【請求項３】
動作時、前記送受信機が、前記帯域幅使用指示情報を、無線リソース制御（ＲＲＣ）メッセージ、ダウンリンク制御情報（ＤＣＩ）メッセージ、または媒体アクセス制御（ＭＡＣ）制御エレメント、を介して受信する、
および／または、
動作時、前記送受信機が、前記帯域幅使用指示情報を、前記ＤＲＸサイクルの前記設定も含むメッセージにおいて受信する、
請求項２に記載の移動端末。
【請求項４】
前記帯域幅使用指示情報が、前記ＤＲＸサイクル内の少なくともＴＲＡＮＳＭＩＳＳＩＯＮ期間、ＩＮＡＣＴＩＶＥ期間、およびＲＥＴＲＡＮＳＭＩＳＳＩＯＮ期間の間、少なくとも前記第１の帯域幅部分および前記第２の帯域幅部分のうちの特定の１つを使用することを示す、
および／または、
前記帯域幅使用指示情報が、
−  前記ＤＲＸサイクル内の前記ＴＲＡＮＳＭＩＳＳＩＯＮ期間の間の前記第２の帯域幅部分（ＢＰ２）と、前記ＩＮＡＣＴＩＶＥ期間の間の前記第２の帯域幅部分（ＢＰ２）と、前記ＲＥＴＲＡＮＳＭＩＳＳＩＯＮ期間の間の前記第２の帯域幅部分（ＢＰ２）と、を含む第１の用法、または、
−  前記ＤＲＸサイクル内の前記ＴＲＡＮＳＭＩＳＳＩＯＮ期間の間の前記第１の帯域幅部分（ＢＰ１）と、前記ＩＮＡＣＴＩＶＥ期間の間の前記第２の帯域幅部分（ＢＰ２）と、前記ＲＥＴＲＡＮＳＭＩＳＳＩＯＮ期間の間の前記第２の帯域幅部分（ＢＰ２）と、を含む第２の用法、または、
−  前記ＤＲＸサイクル内の前記ＴＲＡＮＳＭＩＳＳＩＯＮ期間の間の前記第１の帯域幅部分（ＢＰ１）と、前記ＩＮＡＣＴＩＶＥ期間の間の前記第１の帯域幅部分（ＢＰ１）と、前記ＲＥＴＲＡＮＳＭＩＳＳＩＯＮ期間の間の前記第２の帯域幅部分（ＢＰ２）と、を含む第３の用法、または、
−  前記ＤＲＸサイクル内の前記ＴＲＡＮＳＭＩＳＳＩＯＮ期間の間の前記第１の帯域幅部分（ＢＰ１）と、前記ＩＮＡＣＴＩＶＥ期間の間の前記第１の帯域幅部分（ＢＰ１）と、前記ＲＥＴＲＡＮＳＭＩＳＳＩＯＮ期間の間の前記第１の帯域幅部分（ＢＰ１）と、を含む第４の用法、
のいずれかを示す、
請求項２または請求項３に記載の移動端末。
【請求項５】
前記送受信機がダウンリンク送信またはダウンリンク再送信のためのダウンリンクスケジューリング割当てを受信する場合に、前記プロセッサが、動作時、ＴＲＡＮＳＭＩＳＳＩＯＮ期間またはＲＥＴＲＡＮＳＭＩＳＳＩＯＮ期間の間のダウンリンク通信を、それぞれ、前記第２の帯域幅部分（ＢＰ２）を使用するように設定する、請求項１から請求項４のいずれか１項に記載の移動端末。
【請求項６】
前記送受信機がダウンリンク再送信のためのダウンリンクスケジューリング割当てを受信する場合に、
前記プロセッサが、動作時、ＲＥＴＲＡＮＳＭＩＳＳＩＯＮ期間の間の通信を、前記第１の帯域幅部分（ＢＰ１）および前記第２の帯域幅部分（ＢＰ２）のうちＴＲＡＮＳＭＩＳＳＩＯＮ期間の間の対応する送信のダウンリンク通信の場合と同じ帯域幅部分を使用するように、設定する、
請求項１から請求項５のいずれか１項に記載の移動端末。
【請求項７】
前記送受信機が、前記ＤＲＸサイクル内の前記通信期間の少なくとも１つの間、少なくとも前記第１の帯域幅部分（ＢＰ１）および前記第２の帯域幅部分（ＢＰ２）のうちの特定の１つを有効にする指示、を含むダウンリンク制御情報（ＤＣＩ）メッセージを受信する場合に、
前記プロセッサが、動作時、前記ＤＲＸサイクル内の前記通信期間のうちの対応する前記少なくとも１つの間の通信を、少なくとも前記第１の帯域幅部分（ＢＰ１）および前記第２の帯域幅部分（ＢＰ２）のうちの指示された前記特定の１つを使用するように、設定する、
請求項１から請求項６のいずれか１項に記載の移動端末。
【請求項８】
動作時、前記送受信機が、
−  前記システム帯域幅内の複数の重なり合わないまたは重なり合う狭い帯域幅部分および広い帯域幅部分の中から、前記第１の帯域幅部分（ＢＰ１）および／または前記第２の帯域幅部分（ＢＰ２）を選択するためのインデックス、
を含む設定メッセージ、オプションとしてダウンリンク制御情報（ＤＣＩ）メッセージ、を受信する、
請求項１から請求項７のいずれか１項に記載の移動端末。
【請求項９】
移動通信システムにおいて、システム帯域幅内の第１の帯域幅部分（ＢＰ１）および第２の帯域幅部分（ＢＰ２）の少なくとも一方を使用して移動端末（２１０）と通信する基地局（２６０）であって、前記第１の帯域幅部分（ＢＰ１）が前記第２の帯域幅部分（ＢＰ２）より小さく、前記基地局が、
動作時、不連続受信（ＤＲＸ）サイクルの設定を送信する送受信機（２７０）と、
動作時、前記ＤＲＸサイクルの前記設定の送信に応じて、前記ＤＲＸサイクル内の通信期間の少なくとも１つの間のダウンリンク通信を、少なくとも前記第１の帯域幅部分（ＢＰ１）および前記第２の帯域幅部分（ＢＰ２）のうちの特定の１つを使用するように設定するプロセッサ（２８０）と、
を備えている、基地局。
【請求項１０】
動作時、前記プロセッサが、
前記ＤＲＸサイクル内の前記通信期間の少なくとも１つの間、少なくとも前記第１の帯域幅部分および前記第２の帯域幅部分のうちの特定の１つを使用することを示す帯域幅使用指示情報、
に従って、前記ダウンリンク通信を設定する、請求項９に記載の基地局。
【請求項１１】
動作時、前記送受信機が、前記帯域幅使用指示情報を、無線リソース制御（ＲＲＣ）メッセージ、ダウンリンク制御情報（ＤＣＩ）メッセージ、または媒体アクセス制御（ＭＡＣ）制御エレメント、を介して送信する、
および／または、
動作時、前記送受信機が、前記帯域幅使用指示情報を、前記ＤＲＸサイクルの前記設定も含むメッセージにおいて送信する、
請求項１０に記載の基地局。
【請求項１２】
前記帯域幅使用指示情報が、前記ＤＲＸサイクル内の少なくともＴＲＡＮＳＭＩＳＳＩＯＮ期間、ＩＮＡＣＴＩＶＥ期間、およびＲＥＴＲＡＮＳＭＩＳＳＩＯＮ期間の間、少なくとも前記第１の帯域幅部分および前記第２の帯域幅部分のうちの特定の１つを使用することを示す、
および／または、
前記帯域幅使用指示情報が、
−  前記ＤＲＸサイクル内の前記ＴＲＡＮＳＭＩＳＳＩＯＮ期間の間の前記第２の帯域幅部分（ＢＰ２）と、前記ＩＮＡＣＴＩＶＥ期間の間の前記第２の帯域幅部分（ＢＰ２）と、前記ＲＥＴＲＡＮＳＭＩＳＳＩＯＮ期間の間の前記第２の帯域幅部分（ＢＰ２）と、を含む第１の用法、または、
−  前記ＤＲＸサイクル内の前記ＴＲＡＮＳＭＩＳＳＩＯＮ期間の間の前記第１の帯域幅部分（ＢＰ１）と、前記ＩＮＡＣＴＩＶＥ期間の間の前記第２の帯域幅部分（ＢＰ２）と、前記ＲＥＴＲＡＮＳＭＩＳＳＩＯＮ期間の間の前記第２の帯域幅部分（ＢＰ２）と、を含む第２の用法、または、
−  前記ＤＲＸサイクル内の前記ＴＲＡＮＳＭＩＳＳＩＯＮ期間の間の前記第１の帯域幅部分（ＢＰ１）と、前記ＩＮＡＣＴＩＶＥ期間の間の前記第１の帯域幅部分（ＢＰ１）と、前記ＲＥＴＲＡＮＳＭＩＳＳＩＯＮ期間の間の前記第２の帯域幅部分（ＢＰ２）と、を含む第３の用法、または、
−  前記ＤＲＸサイクル内の前記ＴＲＡＮＳＭＩＳＳＩＯＮ期間の間の前記第１の帯域幅部分（ＢＰ１）と、前記ＩＮＡＣＴＩＶＥ期間の間の前記第１の帯域幅部分（ＢＰ１）と、前記ＲＥＴＲＡＮＳＭＩＳＳＩＯＮ期間の間の前記第１の帯域幅部分（ＢＰ１）と、を含む第４の用法、
のいずれかを示す、
請求項１０または請求項１１に記載の基地局。
【請求項１３】
前記送受信機がダウンリンク送信またはダウンリンク再送信のためのダウンリンクスケジューリング割当てを送信する場合に、前記プロセッサが、動作時、ＴＲＡＮＳＭＩＳＳＩＯＮ期間またはＲＥＴＲＡＮＳＭＩＳＳＩＯＮ期間の間の前記ダウンリンク通信を、それぞれ、前記第２の帯域幅部分（ＢＰ２）を使用するように設定する、請求項９から請求項１２のいずれか１項に記載の基地局。
【請求項１４】
移動通信システムにおいて、システム帯域幅内の第１の帯域幅部分（ＢＰ１）および第２の帯域幅部分（ＢＰ２）の少なくとも一方を使用して基地局と通信するための移動端末の動作方法であって、前記第１の帯域幅部分（ＢＰ１）が前記第２の帯域幅部分（ＢＰ２）より小さく、前記方法が、以下のステップ、すなわち、
不連続受信（ＤＲＸ）サイクルの設定を受信するステップと、
前記ＤＲＸサイクルの前記設定の受信に応じて、前記ＤＲＸサイクル内の通信期間の少なくとも１つの間のダウンリンク通信を、少なくとも前記第１の帯域幅部分（ＢＰ１）および前記第２の帯域幅部分（ＢＰ２）のうちの特定の１つを使用するように設定するステップと、
を含む、方法。
【請求項１５】
移動通信システムにおいて、システム帯域幅内の第１の帯域幅部分（ＢＰ１）および第２の帯域幅部分（ＢＰ２）の少なくとも一方を使用して移動端末と通信するための基地局の動作方法であって、前記第１の帯域幅部分（ＢＰ１）が前記第２の帯域幅部分（ＢＰ２）より小さく、以下のステップ、すなわち、
不連続受信（ＤＲＸ）サイクルの設定を送信するステップと、
前記ＤＲＸサイクルの前記設定の送信に応じて、前記ＤＲＸサイクル内の通信期間の少なくとも１つの間のダウンリンク通信を、少なくとも前記第１の帯域幅部分（ＢＰ１）および前記第２の帯域幅部分（ＢＰ２）のうちの特定の１つを使用するように設定するステップと、
を含む、方法。
【発明の詳細な説明】
【技術分野】
【０００１】
本開示は、移動端末と基地局の間のダウンリンク通信において、不連続受信と組み合わせて利用される、移動通信システムにおける帯域幅部分の適合化に関する。
【背景技術】
【０００２】
現在、第３世代パートナーシッププロジェクト（３ＧＰＰ：the 3rd Generation Partnership Project）は、次世代のセルラー技術（第５世代（５Ｇ）とも称される）の技術仕様の次のリリース（リリース１５）に重点的に取り組んでいる。
【０００３】
３ＧＰＰの技術仕様グループ（ＴＳＧ：Technical Specification Group）の無線アクセスネットワーク（ＲＡＮ：Radio Access network）会合＃７１（２０１６年３月、Gothenburg）において、ＲＡＮ１、ＲＡＮ２、ＲＡＮ３、およびＲＡＮ４が関与する、５Ｇの最初の検討項目「Study on New Radio Access Technology（新しい無線アクセス技術に関する検討）」が承認され、５Ｇの最初の標準規格を定義するリリース１５の作業項目（ＷＩ）になるものと予測される。
【０００４】
５Ｇ新無線（ＮＲ）の１つの目的は、非特許文献１（３ＧＰＰのウェブサイトで入手可能であり、その全体が参照により本明細書に組み込まれている）に定義されているすべての使用シナリオ、要件、および配置シナリオに対処し、少なくとも、高度モバイルブロードバンド（ｅＭＢＢ：enhanced mobile broadband）、超高信頼・低遅延通信（ＵＲＬＬＣ：ultra-reliable low-latency communications）、大規模マシンタイプ通信（ｍＭＴＣ：massive machine type communication）を含む、単一の技術的枠組みを提供することである。
【０００５】
例えば、ｅＭＢＢの配置シナリオには、屋内のホットスポット、密集都市部、郊外、都市部、および高速が含まれうる。ＵＲＬＬＣの配置シナリオには、産業制御システム、モバイル健康管理（遠隔モニタリング、診断、および治療）、車両のリアルタイム制御、スマートグリッドの広域監視・制御システムが含まれうる。ｍＭＴＣには、スマートウェアラブルやセンサネットワークなど遅延の影響が小さいデータ伝送による多数の装置を使用するシナリオが含まれうる。
【０００６】
別の目的は、将来的なユースケース／デプロイメントシナリオを予期しての上位互換性である。Ｌｏｎｇ  Ｔｅｒｍ  Ｅｖｏｌｕｔｉｏｎ（ＬＴＥ）との下位互換性は要求されず、これにより、まったく新しいシステムの設計および／または新規の特徴の導入が促進される。
【０００７】
ＮＲ（新無線）の検討項目の技術報告書の１つ（非特許文献２）に要約されているように、物理レイヤの基本的な信号波形は、直交周波数分割多重（ＯＦＤＭ：Orthogonal Frequency Division Multiplexing）に基づく。ダウンリンクおよびアップリンクの両方において、サイクリックプレフィックスを使用するＯＦＤＭ（ＣＰ−ＯＦＤＭ）をベースとする波形がサポートされる。少なくとも、４０ＧＨｚまでのｅＭＢＢのアップリンクでは、ＣＰ−ＯＦＤＭ波形の補助として、離散フーリエ変換（ＤＦＴ：Discrete Fourier Transformation）拡散ＯＦＤＭ（ＤＦＴ−Ｓ−ＯＦＤＭ）をベースとする波形もサポートされる。
【０００８】
ＮＲにおける設計目標の１つは、通信において物理レイヤの基本信号波形を利用し、その一方で全体的な電力消費量を低減することである。この目的のため、３ＧＰＰ  ＲＡＮ２  ＮＲ  ＡｄＨｏｃ＃２会合（中国、青島、２０１７年６月２７〜２９日）において、ＬＴＥの不連続受信（ＤＲＸ）に類似するメカニズムを、基本設計としてダウンリンクに適用することが合意された。
【０００９】
用語「ダウンリンク」は、上位のノードから下位のノードへの（例えば、基地局から中継ノード、基地局からＵＥ、中継ノードからＵＥ、など）通信を意味する。用語「アップリンク」は、下位のノードから上位のノードへの（例えば、ＵＥから中継ノード、ＵＥから基地局、中継ノードから基地局、など）通信を意味する。用語「サイドリンク」は、同じレベルのノード間の通信（例えば、２基のＵＥ間、２基の中継ノード間、または２基の基地局間）を意味する。
【先行技術文献】
【非特許文献】
【００１０】
【非特許文献１】3GPP TSG RAN TR 38.913 v14.1.0, “Study on Scenarios and Requirements for Next Generation Access Technologies”, Dec. 2016
【非特許文献２】3GPP TSG TR 38.801 v2.0.0, “Study on New Radio Access Technology; Radio Access Architecture and Interfaces”, March 2017
【発明の概要】
【課題を解決するための手段】
【００１１】
非制限的かつ例示的な一実施形態は、移動端末と基地局の間のダウンリンク通信において不連続受信と組み合わせて利用される、移動通信システムにおける帯域幅部分の適合化を容易にする。
【００１２】
一般的な一態様においては、本明細書に開示されている技術は、移動通信システムにおいて、第１の帯域幅部分（ＢＰ１）および第２の帯域幅部分（ＢＰ２）の少なくとも一方を使用して基地局と通信する移動端末、を提供する。第１の帯域幅部分（ＢＰ１）および第２の帯域幅部分（ＢＰ２）はいずれもシステム帯域幅内であり、第１の帯域幅部分（ＢＰ１）が第２の帯域幅部分（ＢＰ２）より小さい。本移動端末は、動作時に不連続受信（ＤＲＸ）サイクルの設定を受信する送受信機、を備えている。さらに、本移動端末はプロセッサを備えており、このプロセッサは、動作時、ＤＲＸサイクルの設定の受信に応じて、ＤＲＸサイクル内の通信期間の少なくとも１つの間のダウンリンク通信を、少なくとも第１の帯域幅部分（ＢＰ１）および第２の帯域幅部分（ＢＰ２）のうちの特定の１つを使用するように設定する。
【００１３】
別の一般的な態様においては、本明細書に開示されている技術は、移動通信システムにおいて、第１の帯域幅部分（ＢＰ１）および第２の帯域幅部分（ＢＰ２）の少なくとも一方を使用して移動端末と通信する基地局、を提供する。第１の帯域幅部分（ＢＰ１）および第２の帯域幅部分（ＢＰ２）はいずれもシステム帯域幅内であり、第１の帯域幅部分（ＢＰ１）が第２の帯域幅部分（ＢＰ２）より小さい。本基地局は、動作時に不連続受信（ＤＲＸ）サイクルの設定を送信する送受信機、を備えている。さらに、本基地局はプロセッサを備えており、このプロセッサは、動作時、ＤＲＸサイクルの設定の送信に応じて、ＤＲＸサイクル内の通信期間の少なくとも１つの間のダウンリンク通信を、少なくとも第１の帯域幅部分（ＢＰ１）および第２の帯域幅部分（ＢＰ２）のうちの特定の１つを使用するように設定する。
【００１４】
さらなる一般的な態様においては、本明細書に開示されている技術は、システム帯域幅内の第１の帯域幅部分（ＢＰ１）および第２の帯域幅部分（ＢＰ２）の少なくとも一方を使用して移動端末によって実行される動作方法であって、第１の帯域幅部分（ＢＰ１）が第２の帯域幅部分（ＢＰ２）より小さい、動作方法、を提供する。本動作方法は、不連続受信（ＤＲＸ）サイクルの設定を受信するステップと、ＤＲＸサイクルの設定の受信に応じて、ＤＲＸサイクル内の通信期間の少なくとも１つの間のダウンリンク通信を、少なくとも第１の帯域幅部分（ＢＰ１）および第２の帯域幅部分（ＢＰ２）のうちの特定の１つを使用するように設定するステップと、を含む。
【００１５】
さらに別の一般的な態様においては、本明細書に開示されている技術は、システム帯域幅内の第１の帯域幅部分（ＢＰ１）および第２の帯域幅部分（ＢＰ２）の少なくとも一方を使用して基地局によって実行される動作方法であって、第１の帯域幅部分（ＢＰ１）が第２の帯域幅部分（ＢＰ２）より小さい、動作方法、を提供する。本動作方法は、不連続受信（ＤＲＸ）サイクルの設定を送信するステップと、ＤＲＸサイクルの設定の送信に応じて、ＤＲＸサイクル内の通信期間の少なくとも１つの間のダウンリンク通信を、少なくとも第１の帯域幅部分（ＢＰ１）および第２の帯域幅部分（ＢＰ２）のうちの特定の１つを使用するように設定するステップと、を含む。
【００１６】
なお、一般的な実施形態または特定の実施形態は、システム、方法、集積回路、コンピュータプログラム、記憶媒体、またはこれらの任意の選択的な組合せとして、実施できることに留意されたい。
【００１７】
開示されている実施形態のさらなる恩恵および利点は、本明細書および図面から明らかになるであろう。これらの恩恵および／または利点は、本明細書および図面のさまざまな実施形態および特徴によって個別に得ることができ、ただしこのような恩恵および／または利点の１つまたは複数を得るために、これらの特徴すべてを設ける必要はない。
【図面の簡単な説明】
【００１８】
【図１Ａ】ＮＲにおいて不連続受信メカニズムを採用する例示的な通信を示している概略図である。
【図１Ｂ】ＮＲにおいて不連続受信メカニズムを採用する例示的な通信を示している概略図である。
【図１Ｃ】ＮＲにおいて不連続受信メカニズムを採用する例示的な通信を示している概略図である。
【図１Ｄ】ＮＲにおいて不連続受信メカニズムを採用する例示的な通信を示している概略図である。
【図２】移動端末および基地局の構造を示しているブロック図である。
【図３Ａ】ＮＲにおける、不連続受信メカニズムと組み合わせての帯域幅部分の適合化の１つの方式を示している概略図である。
【図３Ｂ】ＮＲにおける、不連続受信メカニズムと組み合わせての帯域幅部分の適合化の１つの方式を示している概略図である。
【図３Ｃ】ＮＲにおける、不連続受信メカニズムと組み合わせての帯域幅部分の適合化の１つの方式を示している概略図である。
【図３Ｄ】ＮＲにおける、不連続受信メカニズムと組み合わせての帯域幅部分の適合化の１つの方式を示している概略図である。
【図４Ａ】ＮＲにおける、不連続受信メカニズムと組み合わせての帯域幅部分の適合化の別の方式を示している概略図である。
【図４Ｂ】ＮＲにおける、不連続受信メカニズムと組み合わせての帯域幅部分の適合化の別の方式を示している概略図である。
【図４Ｃ】ＮＲにおける、不連続受信メカニズムと組み合わせての帯域幅部分の適合化の別の方式を示している概略図である。
【図４Ｄ】ＮＲにおける、不連続受信メカニズムと組み合わせての帯域幅部分の適合化の別の方式を示している概略図である。
【発明を実施するための形態】
【００１９】
非特許文献１に記載されているように、ＮＲのさまざまなユースケース／デプロイメントシナリオは、データレート、レイテンシ、およびカバレッジに関してさまざまな要件を有する。これらの要件を考慮すれば、ＮＲは、ＬＴＥの場合と比較して、さらにいっそう低減した電力消費量を目標にするべきである。
【００２０】
３ＧＰＰ  ＲＡＮ１＃８６ｂｉｓでは、ダウンリンク通信において帯域幅の適合化のコンセプトを採用することが合意された。この帯域幅の適合化のコンセプトは、システム帯域幅内の狭い帯域幅部分の割当てを想定する。この帯域幅部分によって、低減された電力消費量でダウンリンク制御情報を監視することが促進される。
【００２１】
特に、少なくともシングルキャリア動作の場合、ＮＲでは、ＵＥが少なくともダウンリンク制御情報を第１の無線周波数（ＲＦ）帯域幅において受信し、かつ、Ｘμｓ未満以内には（Ｘの値は今後の検討に委ねられる）ＵＥはこの第１の無線周波数帯域幅よりも大きい第２の無線周波数帯域幅では受信しないものと予期されるように、ＵＥが動作できるようするべきことが合意された。
【００２２】
この一般的な合意は別として、第１の無線周波数帯域幅が第２の無線周波数帯域幅内であるかと、第１の無線周波数帯域幅が第２の無線周波数帯域幅の中央であるかと、第２の無線周波数帯域幅に対する第１の無線周波数帯域幅のとりうる最大比率は、今後の検討に委ねられる。さらに、詳細なメカニズムと、無線周波数帯域幅の適合化が無線リソース管理（ＲＲＭ）測定においてどのように機能するかも、今後の検討に委ねられる。
【００２３】
３ＧＰＰ  ＲＡＮ１＃８８ｂｉｓでは、シングルキャリア動作の場合、ＵＥは、自身に設定されている周波数範囲Ａの外側では、いかなるダウンリンク（ＤＬ）信号も受信する必要がないことがさらに合意された。周波数範囲を周波数範囲Ａから周波数範囲Ｂに変更するために必要な中断時間は、今後定義する必要がある。さらに、シングルキャリア動作では、周波数範囲Ａと周波数範囲Ｂは、帯域幅および中心周波数が異なっていてよい。
【００２４】
これらの合意に加えて、以下の動作上の想定もなされた。各コンポーネントキャリアの１つまたは複数の帯域幅部分の設定は、ＵＥに半静的にシグナリングすることができる。帯域幅部分は、連続する物理リソースブロック（ＰＲＢ）のグループから構成される。帯域幅部分の中に、予約リソースを設定することができる。帯域幅部分の帯域幅は、ＵＥによってサポートされる最大帯域幅容量（maximal bandwidth capability）に等しいかまたはそれより小さい。帯域幅部分の帯域幅は、同期信号（ＳＳ）ブロックの帯域幅と少なくとも同じ大きさである。帯域幅部分は、同期信号（ＳＳ）ブロックを含む、または含まなくてもよい。
【００２５】
さらなる動作上の想定は、帯域幅部分の設定に関し、この設定は以下の特性、すなわち、数、周波数位置（例：中心周波数）、帯域幅（例：ＰＲＢの数）、を含むことができる。なお、これらの動作上の想定は、ＵＥのＲＲＣ接続モードの場合であることに留意されたい。所与のタイミングにおけるリソース割当てに対して、（複数の設定の場合に）どの帯域幅部分の設定を想定すべきであるかをＵＥに示す方法については、今後の検討に委ねられる。さらに、隣接セルの無線リソース管理（ＲＲＭ）測定も、今後の検討に委ねられる。
【００２６】
その後３ＧＰＰ  ＲＡＮ１＃８９において、上記の動作上の想定が合意事項として承認された。
【００２７】
この点において、電力を節約するための帯域幅部分（ＢＰ）の適合化は、以下の設定に依拠するものと結論することができる。すなわち、所与のＵＥに対して、少なくとも２つのダウンリンク帯域幅部分（ＢＰ）が設定され、一方は狭帯域であり、他方は広帯域である。狭帯域の帯域幅部分（ＢＰ）は、トラフィックが小さい場合にＵＥに対して有効にすることができる。結果として、より狭い帯域幅を通じて受信することで、ＵＥに電力節約の利得をもたらすことができる。広帯域の帯域幅部分（ＢＰ）は、データレートを高める目的で、トラフィックが大きい場合にＵＥに対して有効にすることができる。
【００２８】
これらとは別に、３ＧＰＰ  ＲＡＮ２では、ＬＴＥの不連続受信（ＤＲＸ）のフレームワークに類似するメカニズムをＮＲのダウンリンクにおいて実施することが合意された。以下では、ＮＲにおけるＤＲＸのフレームワークの可能な実施について、ダウンリンク通信のさまざまな例に関連して簡潔に紹介する。
【００２９】
図１Ａ〜図１Ｄは、ＮＲにおいてＤＲＸフレームワークを利用するダウンリンク通信のさまざまな例を示している。特に、図１Ａ〜図１Ｄは、いずれも、基地局（ｇＮｏｄｅＢまたはｇＮＢとも称する）と移動端末（ＵＥとも称する）の間のＮＲにおけるダウンリンク通信を示している。移動端末と基地局の間ではアップリンク通信を実行する必要もあるが、これらの図および説明では、単に簡潔さの理由で、アップリンク通信を省いてある。
【００３０】
不連続受信のフレームワークは、一般的には、ＵＥがダウンリンクチャネルを継続的に監視する必要性を軽減する目的で導入される。ＤＲＸサイクルは、「オン期間」（この期間中、ＵＥは物理ダウンリンク制御チャネルを監視するべきである）と、「ＤＲＸ期間」（この期間中、ＵＥはバッテリを節約する目的でダウンリンクチャネルの受信を行わないことができる）とから構成される。
【００３１】
ＤＲＸサイクルをパラメータ化するときには、バッテリの節約とレイテンシとの間の妥協点を見出す。長いＤＲＸ期間は、ＵＥのバッテリ寿命を延ばすうえで有利である。例えば、トラフィック需要の短いバーストの場合、処理すべきトラフィックが存在していない間もＵＥが継続的にダウンリンクチャネルを監視することは、通常ではリソースの無駄である。これに対して、短いＤＲＸ期間は、データ伝送が再開されるときに迅速に応答するうえで有利である。
【００３２】
ＤＲＸサイクルの使用は、ｇＮｏｄｅＢによって制御される。例えば、ＵＥに対して長いＤＲＸサイクルと短いＤＲＸサイクルを設定することができ、これら２つのＤＲＸサイクル間の移行は、タイマーによって、またはｇＮｏｄｅＢからの明示的なコマンドによって、制御することができる。ｇＮｏｄｅＢは、連続受信に移行するようにＵＥを設定することができ、したがって「オン期間」を最大値に設定し、「ＤＲＸ期間」を０に設定する。
【００３３】
ＤＲＸサイクルの設定には、少なくとも３つのタイマー、すなわち「オン期間」タイマー、「インアクティビティ」タイマー、および「再送信」タイマーが関与する。ＤＲＸサイクルでは、これら３つのタイマーを使用して、ＵＥの個々の監視期間、すなわち、ｇＮｏｄｅＢがデータおよび／または制御信号をＵＥに送信する送信期間と、ＵＥへの送信の後に続く非アクティブ期間と、通信の失敗の場合に再送信を行うことのできる（１つまたは複数の）再送信期間、が指定される。
【００３４】
したがって、これら少なくとも３つのタイマーは、ＤＲＸサイクルにおいて、ＵＥがｇＮｏｄｅＢからのダウンリンクを監視しなければならない時間を決定し、その一方で、残りの時間においてはＵＥは電力節約状態をとることができる。ＤＲＸサイクルの終了時、ｇＮｏｄｅＢは、そのＤＲＸサイクルを繰り返すようにＵＥを制御する、または別の長い／短いＤＲＸサイクルに移行するように、あるいは場合によっては連続受信に移行するように、ＵＥを制御する。この制御は、前述したように、タイマーによって、または明示的なコマンドによって容易にされる。
【００３５】
次に図１Ａ〜図１Ｄをさらに詳しく参照する。
【００３６】
各図は、２つのＤＲＸサイクル＃Ｎおよび＃Ｎ＋１を示しており、いずれのＤＲＸサイクルも、合計で２０個の連続するスロット（スケジューリング間隔とも称される）を有する。例えば、ＤＲＸサイクルの最初のスロットがスロット＃０であり、ＤＲＸサイクルの最後のスロットがスロット＃１９であるように、ＤＲＸサイクル＃Ｎおよび＃Ｎ＋１の両方のスロットを、個々の番号によって参照することができる。しかしながらこれらのスロットを、連続的に増加する番号によって参照することもできる。
【００３７】
さらには、たとえ以下の説明において、ダウンリンクデータ送信のスケジューリング間隔が１スロットであると想定していても、そのことは本開示を制限するようには解釈されないことを明確にしておかなければならない。そうではなく、１つのスケジューリング間隔は、複数のシンボルを使用して定義されるＭＡＣレイヤにおける１送信時間間隔（ＴＴＩ）に相当するものと理解することもできる。ＮＲにおけるさまざまなサービスの、データレート、レイテンシ、およびカバレッジに関する多様な要件を考慮して、さまざまなＴＴＩが想定される。したがって、異なるＴＴＩ時間長は、例えば、一方の送信方向におけるミニスロット、１スロット、または複数のスロットに対応する異なる数のシンボルを有する。
【００３８】
図１Ａには、ｇＮｏｄｅＢからＵＥにダウンリンクデータが送信されない、２つの連続するＤＲＸサイクル＃Ｎおよび＃Ｎ＋１の例を示してある。送信の有無とは無関係に、両方のＤＲＸサイクルにおいて、ＵＥには、２スロットのタイマー値で「オン期間」タイマーが設定されている。したがってＵＥは、両方のＤＲＸサイクル＃Ｎおよび＃Ｎ＋１のタイムスロット＃０および＃１の間ウェイクアップしており、送信されうるダウンリンク割当てを対象に物理ダウンリンク制御チャネルを監視する。
【００３９】
ＮＲの動作がＬＴＥと比較して類似するものと想定すると、ＵＥは、（少なくとも）「オン期間」タイマーが作動している間、スケジューリング割当て（ダウンリンクリソースの割当て）、すなわちリソースブロック（ＲＢ）割当ておよび新規データインジケータ（ＮＤＩ）を含むダウンリンク制御情報（ＤＣＩ）メッセージを対象に、物理ダウンリンク制御チャネル（ＰＤＣＣＨ）を監視し、この場合にＤＣＩのＣＲＣは、ＵＥの識別情報（すなわちＵＥの無線ネットワーク一時識別子（ＲＮＴＩ）、特に、ＵＥのセル無線ネットワーク一時識別子（Ｃ−ＲＮＴＩ））によってスクランブルされている。したがってＵＥは、ダウンリンク制御情報（ＤＣＩ）メッセージが自身宛であるか否かを識別することができる。
【００４０】
ＵＥは、物理ダウンリンク制御チャネルを監視して、自身宛のダウンリンク割当てを検出しなかった場合、スロット＃２においてスリープ状態に戻り、ＤＲＸサイクル＃Ｎの残りの部分においてスリープ状態を継続する。言い換えればＵＥは、ＤＲＸサイクル＃Ｎのスロット＃２からスロット＃１９までＤＲＸ期間にある。これによって、ＤＲＸサイクル＃Ｎの間、ＵＥにおいてダウンリンク通信の電力消費量を低減することができる。ＤＲＸサイクル＃Ｎ＋１においても、ＵＥの同じ挙動が繰り返される。
【００４１】
この例では、ダウンリンク割当ておよびダウンリンク送信が存在しないため、「非アクティブ」期間と「再送信」期間が発生しないことを指摘しておく。ダウンリンク割当てが検出されず、ダウンリンク送信が受信されないため、ＵＥはＩＮＡＣＴＩＶＥ（非アクティブ）タイマーを作動またはリセットしない。さらに、ダウンリンクデータ送信が存在しないときには、ＲＥＴＲＡＮＳＭＩＳＳＩＯＮ（再送信）タイマーの作動または開始を必要とする通信の失敗も起こりえない。
【００４２】
図１Ｂには、２つの連続するＤＲＸサイクル＃Ｎおよび＃Ｎ＋１の例を示してあり、ＤＲＸサイクル＃ＮではｇＮｏｄｅＢからＵＥにダウンリンクデータが送信され、ＤＲＸサイクル＃Ｎ＋１ではダウンリンクデータが送信されない。送信の有無とは無関係に、両方のＤＲＸサイクルにおいて、ＵＥには、値２で「オン期間」タイマーが設定されている。したがってＵＥは、両方のＤＲＸサイクル＃Ｎおよび＃Ｎ＋１の（少なくとも）タイムスロット＃０および＃１の間ウェイクアップしており、送信されうるダウンリンク割当てを対象に物理ダウンリンク制御チャネルを監視する。
【００４３】
「オン期間」タイマーの理由で、ＵＥはスロット＃０でウェイクアップして物理ダウンリンク制御チャネルを監視する。ＵＥは、このスロット＃０では自身宛のダウンリンク割当てを検出しないが、この状況はスロット＃１〜＃３では変化する。
【００４４】
ＵＥは、スロット＃１で、物理ダウンリンク制御チャネルにおいて自身宛のスケジューリング割当て（例：最初の送信用のリソースブロック（ＲＢ）割当てを含むダウンリンク制御情報（ＤＣＩ）メッセージ）を検出すると、スケジューリング割当てによって示された、物理ダウンリンク共有チャネル（ＰＤＳＣＨ）内の（１つまたは複数の）リソースブロック（ＲＢ）を参照し、示された（１つまたは複数の）リソースブロック（ＲＢ）においてダウンリンクデータ送信を参照する。したがってこのスロット＃１では、ＵＥは、スケジューリングされたダウンリンクデータ送信を受信する。ダウンリンクデータ送信を受信すると、ＵＥはＩＮＡＣＴＩＶＥタイマーをリセットする。
【００４５】
同様にスロット＃２およびスロット＃３でも、ＵＥは物理ダウンリンク制御チャネルにおいてダウンリンク割当てを検出し、これらのダウンリンク割当ては、それぞれ、同じスロット＃２および同じスロット＃３におけるダウンリンクデータ送信をスケジューリングしている。したがってＵＥは、スロット＃２およびスロット＃３においても、スケジューリングされたダウンリンクデータ送信を受信し、これらのスロット＃２およびスロット＃３それぞれにおいて、ＵＥはＩＮＡＣＴＩＶＥタイマーをリセットする。したがってスロット＃３では、ＩＮＡＣＴＩＶＥタイマーは依然としてそのリセット値（すなわち３スロットの値）にある。
【００４６】
この例から推測できるように、２スロットという短い「オン期間」の周期によって、ダウンリンクデータ送信がこれら２つのスロットのみに制限されるわけではない。そうではなく、「オン期間」の周期内のスロットにおいてデータ送信がスケジューリングされると、ＵＥはＩＮＡＣＴＩＶＥタイマーをリセットする。このＩＮＡＣＴＩＶＥ期間の間、ＵＥは、さらなるダウンリンク割当てを対象に物理ダウンリンク制御チャネルを監視したままである。
【００４７】
この例では、ＴＲＡＮＳＭＩＳＳＩＯＮ（送信）期間は、スロット＃０からスロット＃３まで延びており、したがって「オン期間」タイマーが作動している期間を包含しているが、この点において制限されない。そうではなくＴＲＡＮＳＭＩＳＳＩＯＮ期間とは、本開示の文脈においては、「オン期間」タイマーが作動している間に始まった連続的なダウンリンクデータ送信を含む期間として、理解されたい（ただしこの点において制限されない）。
【００４８】
スロット＃４では、ＵＥは、物理ダウンリンク制御チャネルを監視するにもかかわらず、スケジューリング割当てを受信しない。したがってこのスロット＃４は、ＩＮＡＣＴＩＶＥ期間の一部とみなされる。ＩＮＡＣＴＩＶＥタイマーの値が１スロットだけ減じられる。この例ではＩＮＡＣＴＩＶＥタイマーはスロット＃４の前に３スロット（＝初期値）にリセットされたため、ＩＮＡＣＴＩＶＥ期間はスロット＃４〜スロット＃６を含む。
【００４９】
スロット＃７では、ＩＮＡＣＴＩＶＥタイマーが切れ、したがってＵＥはスリープ状態に入る。スロット＃８でもＵＥはスリープ状態にあり、物理ダウンリンク制御チャネルを監視しない。
【００５０】
スロット＃９〜スロット＃１１に示したように、（最初の）ダウンリンクデータ送信の１つが失敗した場合のために設けられるＲＥＴＲＡＮＳＭＩＳＳＩＯＮ期間中は、発生する可能性のある再送信のためにＵＥはウェイクアップしている必要がある。ＲＥＴＲＡＮＳＭＩＳＳＩＯＮ期間は、（最初の）ダウンリンクデータ送信それぞれに対して（例えばハイブリッド自動再送要求（ＨＡＲＱ：hybrid Automatic Repeat Request）プロセスごとに）、個別に設定される。
【００５１】
この例では、１つのＲＥＴＲＡＮＳＭＩＳＳＩＯＮ期間（すなわちスロット＃１における（最初の）送信に対する再送信期間）を示してある。したがって、示したＲＥＴＲＡＮＳＭＩＳＳＩＯＮ期間は、スロット＃１における最初の送信に対して位置が決められている（例えば所定のオフセット（この例では８スロット）から始まる）。言い換えれば、ＲＥＴＲＡＮＳＭＩＳＳＩＯＮ期間は、スロット＃１における最初のダウンリンクデータ送信に対して、スロット＃９から始まり、ＲＥＴＲＡＮＳＭＩＳＳＩＯＮタイマーが作動している限り継続する。ＵＥが、対応するダウンリンクデータの再送信を受信した場合、ＲＥＴＲＡＮＳＭＩＳＳＩＯＮ期間は早期に終了する。
【００５２】
ＮＲの動作がＬＴＥと比較して類似するものと想定すると、最初の送信がＵＥによって正常に復号されなかった場合、ＵＥはＲＥＴＲＡＮＳＭＩＳＳＩＯＮ期間の間、スケジューリング割当て（すなわちダウンリンク制御情報（ＤＣＩ）メッセージ）を対象に物理ダウンリンク制御チャネル（ＰＤＣＣＨ）を監視し、このダウンリンク制御情報（ＤＣＩ）メッセージは、リソースブロック（ＲＢ）の割当てを含み、さらに新規データインジケータ（ＮＤＩ）ではなく対応するＨＡＲＱプロセスの指示情報を含み、この場合もＤＣＩのＣＲＣは、ＵＥの識別情報（すなわちＵＥの無線ネットワーク一時識別子（ＲＮＴＩ）、特に、ＵＥのセル無線ネットワーク一時識別子（Ｃ−ＲＮＴＩ））によってスクランブルされている。
【００５３】
スロット＃１１において、ＵＥは、自身宛のスケジューリング割当て（例：再送信用のリソースブロック（ＲＢ）の割当てを含むダウンリンク制御情報（ＤＣＩ）メッセージ）を検出すると、スケジューリング割当てによって示された、物理ダウンリンク共有チャネル（ＰＤＳＣＨ）内の（１つまたは複数の）リソースブロック（ＲＢ）を参照し、スロット＃１１内の示された（１つまたは複数の）リソースブロックにおいてダウンリンクデータの再送信を受信する。なお、ダウンリンクデータの再送信では、ＩＮＡＣＴＩＶＥ期間が発生しないことに留意されたい。
【００５４】
スロット＃１１でダウンリンクデータの再送信が受信されたため、ＵＥはスロット＃１２においてスリープ状態に戻り、ＤＲＸサイクル＃Ｎの残りの部分においてスリープ状態を継続する。言い換えればＵＥは、ＤＲＸサイクル＃Ｎのスロット＃１２からスロット＃１９までＤＲＸ期間にある。ＵＥがダウンリンクデータの再送信を受信せずにＲＥＴＲＡＮＳＭＩＳＳＩＯタイマーが切れた場合にも、スリープ状態に入るＵＥの同じ挙動が発生する。したがってこの場合も、ＤＲＸサイクル＃Ｎの間、ＵＥにおいてダウンリンク通信の電力消費量を低減することができる。
【００５５】
ＤＲＸサイクル＃Ｎ＋１におけるＵＥの挙動に関しては、簡潔さの理由で、図１Ａの説明を参照されたい。
【００５６】
図１Ｃには、２つの連続するＤＲＸサイクル＃Ｎおよび＃Ｎ＋１の例を示してあり、ＤＲＸサイクル＃ＮではｇＮｏｄｅＢからＵＥにダウンリンクデータが送信され、ＤＲＸサイクル＃Ｎ＋１ではダウンリンクデータが送信されない。図１Ｃに示した例は、図１Ｂにおける例に極めて似ているが、異なる点として、ダウンリンクデータ送信がスロット＃１〜スロット＃３のみならずスロット＃１〜スロット＃６において受信される。
【００５７】
ＤＲＸサイクル＃ＮにおけるｇＮｏｄｅＢからＵＥへのこれらの（延びた）ダウンリンクデータ送信の理由で、（最初の）ダウンリンクデータ送信の後のＩＮＡＣＴＩＶＥ期間が、（最初の）ダウンリンクデータ送信それぞれに対して（例えばハイブリッド自動再送要求（ＨＡＲＱ）プロセスごとに）個別に設定されるＲＥＴＲＡＮＳＭＩＳＳＩＯＮ期間と重なっている。この例では、１つのＲＥＴＲＡＮＳＭＩＳＳＩＯＮ期間（すなわちスロット＃１における（最初の）送信に対するＲＥＴＲＡＮＳＭＩＳＳＩＯＮ期間）のみを示してある。
【００５８】
図１Ｃから明らかになるように、ＲＥＴＲＡＮＳＭＩＳＳＩＯＮ期間中のＵＥの動作は、ＩＮＡＣＴＩＶＥ期間中の挙動と両立することができる。
【００５９】
この場合にもＵＥは、「オン期間」タイマーの理由でスロット＃０においてウェイクアップし、物理ダウンリンク制御チャネルを監視する。このスロット＃０では、ＵＥは自身宛のダウンリンク割当てを検出しないが、この状況はスロット＃１〜スロット＃６では変化する。ＵＥは、スロット＃１〜スロット＃６の各々において、それぞれ同じスロット＃１〜同じスロット＃６におけるダウンリンクデータ送信をスケジューリングするダウンリンク割当てを、物理ダウンリンク制御チャネルにおいて検出する。
【００６０】
したがってＵＥは、スロット＃１〜スロット＃６において、スケジューリングされたダウンリンクデータ送信を受信し、これらのスロット＃１〜スロット＃６それぞれにおいて、ＩＮＡＣＴＩＶＥタイマーをリセットする。したがってスロット＃６では、ＩＮＡＣＴＩＶＥタイマーは依然としてそのリセット値に（すなわち３スロットの値に）ある。
【００６１】
スロット＃７では、ＵＥは、物理ダウンリンク制御チャネルを監視するにもかかわらず、スケジューリング割当てを受信しない。したがってこのスロット＃７は、ＩＮＡＣＴＩＶＥ期間の一部とみなされる。ＩＮＡＣＴＩＶＥタイマーの値が１スロットだけ減じられる。この例では、ＩＮＡＣＴＩＶＥタイマーは３スロット（＝初期値）にリセットされたため、ＩＮＡＣＴＩＶＥ期間はスロット＃７〜スロット＃９を含む。
【００６２】
スロット＃９〜スロット＃１１に示したように、（最初の）ダウンリンクデータ送信の１つが失敗した場合のために設けられるＲＥＴＲＡＮＳＭＩＳＳＩＯＮ期間中は、発生する可能性のある再送信のためにＵＥはウェイクアップしている必要がある。ＲＥＴＲＡＮＳＭＩＳＳＩＯＮ期間は、（最初の）ダウンリンクデータ送信それぞれに対して（例えばハイブリッド自動再送要求（ＨＡＲＱ）プロセスごとに）、個別に設定される。
【００６３】
この場合も、この例には、１つのＲＥＴＲＡＮＳＭＩＳＳＩＯＮ期間（すなわちスロット＃１における（最初の）送信に対する再送信期間）のみを示してあり、ＲＥＴＲＡＮＳＭＩＳＳＩＯＮ期間は、所定のオフセット（スロット＃９に対応する）から始まる。ＲＥＴＲＡＮＳＭＩＳＳＩＯＮ期間は、このスロットから前方、スロット＃９〜スロット＃１１において示してある。
【００６４】
なお、スロット＃９ではＩＮＡＣＴＩＶＥタイマーが切れておらず、したがってこの理由のみにより、ＵＥは物理ダウンリンク制御チャネルを監視することに留意されたい。しかしながらスロット＃９はＲＥＴＲＡＮＳＭＩＳＳＩＯＮ期間にも属しているため、ＵＥは起こりうるダウンリンクデータの再送信についても、物理ダウンリンク制御チャネルを監視する。ＵＥのこれら２つの挙動は矛盾せず、両立して実行することができる。
【００６５】
この例では、ＵＥはスロット＃１１においてスケジューリング割当てを検出し、同じスロット＃１１において、対応するダウンリンクデータの再送信を受信する。ダウンリンクデータの再送信がスロット＃１１で受信されたため、ＵＥはスロット＃１２においてスリープ状態に戻り、ＤＲＸサイクル＃Ｎの残りの部分においてスリープ状態を継続する。これによりこの場合も、ＤＲＸサイクル＃Ｎの間、ＵＥにおいてダウンリンク通信の電力消費量を低減することができる。
【００６６】
ＤＲＸサイクル＃Ｎ＋１におけるＵＥの挙動に関しては、簡潔さの理由で、図１Ａの説明を参照されたい。
【００６７】
図１Ｄには、２つの連続するＤＲＸサイクル＃Ｎおよび＃Ｎ＋１の例を示してあり、ＤＲＸサイクル＃ＮではｇＮｏｄｅＢからＵＥにダウンリンクデータが送信され、ＤＲＸサイクル＃Ｎ＋１ではダウンリンクデータが送信されない。図１Ｄに示した例は、図１Ｂおよび図１Ｃにおける例に極めて似ているが、異なる点として、ダウンリンクデータ送信がスロット＃１〜スロット＃８において受信される。
【００６８】
ＤＲＸサイクル＃ＮにおけるｇＮｏｄｅＢからＵＥへのこれらの（延びた）ダウンリンクデータ送信の理由で、（最初の）ダウンリンクデータ送信の後のＩＮＡＣＴＩＶＥ期間が、（最初の）ダウンリンクデータ送信それぞれに対して（例えばハイブリッド自動再送要求（ＨＡＲＱ）プロセスごとに）個別に設定されるＲＥＴＲＡＮＳＭＩＳＳＩＯＮ期間と一致している。この例では、１つのＲＥＴＲＡＮＳＭＩＳＳＩＯＮ期間（すなわちスロット＃１における（最初の）送信に対するＲＥＴＲＡＮＳＭＩＳＳＩＯＮ期間）のみを示してある。
【００６９】
次に図２をさらに詳しく参照する。
【００７０】
図２は、（無線）物理チャネル２５０を通じて互いに通信する移動端末２１０および基地局２６０を含む通信システムのブロック図を示している。ただし本開示の文脈においては、移動端末２１０と基地局２６０との間のダウンリンク通信のみについて言及する。
【００７１】
移動端末２１０は、移動通信システムにおいて、第１の帯域幅部分（ＢＰ１）および第２の帯域幅部分（ＢＰ２）の少なくとも一方を使用して、基地局２６０と通信する。第１の帯域幅部分（ＢＰ１）および第２の帯域幅部分（ＢＰ２）はいずれもシステム帯域幅内であり、第１の帯域幅部分（ＢＰ１）は第２の帯域幅部分（ＢＰ２）より小さい。移動端末２１０は、動作時に不連続受信（ＤＲＸ）サイクルの設定を受信する送受信機２２０、を備えている。さらに、移動端末２１０はプロセッサ２３０を備えており、このプロセッサ２３０は、動作時、ＤＲＸサイクルの設定の受信に応じて、ＤＲＸサイクル内の通信期間の少なくとも１つの間のダウンリンク通信を、少なくとも第１の帯域幅部分（ＢＰ１）および第２の帯域幅部分（ＢＰ２）のうちの特定の１つを使用するように設定する。
【００７２】
基地局２６０は、移動通信システムにおいて、第１の帯域幅部分（ＢＰ１）および第２の帯域幅部分（ＢＰ２）の少なくとも一方を使用して、移動端末２１０と通信する。第１の帯域幅部分（ＢＰ１）および第２の帯域幅部分（ＢＰ２）はいずれもシステム帯域幅内であり、第１の帯域幅部分（ＢＰ１）は第２の帯域幅部分（ＢＰ２）より小さい。基地局２６０は、動作時に不連続受信（ＤＲＸ）サイクルの設定を送信する送受信機２７０、を備えている。さらに、基地局２６０はプロセッサ２８０を備えており、このプロセッサ２８０は、動作時、ＤＲＸサイクルの設定の送信に応じて、ＤＲＸサイクル内の通信期間の少なくとも１つの間のダウンリンク通信を、少なくとも第１の帯域幅部分（ＢＰ１）および第２の帯域幅部分（ＢＰ２）のうちの特定の１つを使用するように設定する。
【００７３】
システム帯域幅内の第１の帯域幅部分（ＢＰ１）および第２の帯域幅部分（ＢＰ２）の少なくとも一方を使用して移動端末によって実行される動作方法であって、第１の帯域幅部分（ＢＰ１）が第２の帯域幅部分（ＢＰ２）より小さい、動作方法、も開示する。本動作方法は、不連続受信（ＤＲＸ）サイクルの設定を受信するステップと、ＤＲＸサイクルの設定の受信に応じて、ＤＲＸサイクル内の通信期間の少なくとも１つの間のダウンリンク通信を、少なくとも第１の帯域幅部分（ＢＰ１）および第２の帯域幅部分（ＢＰ２）のうちの特定の１つを使用するように設定するステップと、を含む。
【００７４】
システム帯域幅内の第１の帯域幅部分（ＢＰ１）および第２の帯域幅部分（ＢＰ２）の少なくとも一方を使用して基地局によって実行される動作方法であって、第１の帯域幅部分（ＢＰ１）が第２の帯域幅部分（ＢＰ２）より小さい、動作方法、を提供する。本動作方法は、不連続受信（ＤＲＸ）サイクルの設定を送信するステップと、ＤＲＸサイクルの設定の送信に応じて、ＤＲＸサイクル内の通信期間の少なくとも１つの間のダウンリンク通信を、少なくとも第１の帯域幅部分（ＢＰ１）および第２の帯域幅部分（ＢＰ２）のうちの特定の１つを使用するように設定するステップと、を含む。
【００７５】
以下では、例示的な実施形態に係る、移動端末（ＵＥとも称する）の動作および基地局（ｇＮｏｄｅＢまたはｇＮＢとも称する）の動作について、図３Ａ〜図３Ｄおよび図４Ａ〜図４Ｄに関連して説明する。さまざまな例すべてにおいて、ｇＮｏｄｅＢとＵＥとの間のダウンリンク通信が、不連続受信（ＤＲＸ）サイクル内に指定される通信期間の少なくとも１つの間に発生する。
【００７６】
ＤＲＸサイクルは、複数の異なる通信期間（例えば、ＴＲＡＮＳＭＩＳＳＩＯＮ期間、ＩＮＡＣＴＩＶＥ期間、およびＲＥＴＲＡＮＳＭＩＳＳＩＯＮ期間）を含む。ＤＲＸサイクルのこれらの期間すべての間、ＵＥは、発生しうるダウンリンク通信のために物理ダウンリンク制御チャネルを少なくとも監視する必要がある。同時に、ＤＲＸサイクルは、非通信期間（ＤＲＸ期間とも称される）も含む。ＵＥは、これらの非通信期間の間、バッテリを節約する目的でダウンリンクチャネルの受信を行わないことができる。
【００７７】
なお、ＵＥとｇＮｏｄｅＢの間でダウンリンク通信を正常に行うためには、ＵＥのみならずｇＮｏｄｅＢが同じＤＲＸサイクルに従って動作しなければならないことに留意されたい。ＵＥ（のみ）がＤＲＸサイクルに従って動作するのでは十分ではない。その場合、ｇＮｏｄｅＢは、ダウンリンク通信がＵＥによって実際に受信されたかを認識しない。したがってダウンリンク通信を正常に行うためには、ＵＥおよびｇＮｏｄｅＢの両方に対して同じＤＲＸサイクルが設定される必要がある。ただしｇＮｏｄｅＢには、それぞれが個々のＵＥに対応する複数の異なるＤＲＸサイクルを設定することができる。
【００７８】
前述したように、ＮＲでは、帯域幅部分の適合化のコンセプトが、例示的にｇＮｏｄｅＢとＵＥの間のダウンリンク通信に導入される。帯域幅部分を適合化することにより、ｇＮｏｄｅＢとＵＥの間のダウンリンク通信の受信要件をさらに軽減することが可能になる。すなわち、狭い帯域幅部分の使用を想定することによって、ＵＥは、その適合化された狭い帯域幅部分の外側のシステム帯域幅の監視を省略することができる。したがってこのコンセプトは、バッテリを節約する目的に採用することもできる。
【００７９】
なお、この場合も、ＵＥとｇＮｏｄｅＢの間のダウンリンク通信を正常に行うためには、ＵＥのみならずｇＮｏｄｅＢが、同じ適合化された帯域幅に従って動作しなければならないことに留意されたい。ＵＥ（のみ）が、適合化された帯域幅部分において動作するのでは十分ではない。その場合、ｇＮｏｄｅＢは、ダウンリンク通信がＵＥによって実際に受信されたかを認識しない。したがってダウンリンク通信を正常に行うためには、この場合にも、ＵＥおよびｇＮｏｄｅＢが、同じ適合化された帯域幅部分について共通の認識を有する必要がある。ただしｇＮｏｄｅＢは、（それぞれが個々のＵＥ用の）複数の帯域幅部分において同時に動作することができる。
【００８０】
この認識を考慮して、本開示は、両方のメカニズムを組み合わせて、最大限のバッテリ節約量を達成する一方で、それと同時に両方のメカニズムを同期させる複雑さを最小限に維持する。なお、２つのメカニズムを組み合わせることで、時間領域のみならず周波数領域におけるＵＥの受信要件が軽減され、これによって２つのメカニズムの間の相乗効果が達成されることを強調しておく。
【００８１】
本開示は、移動通信システムにおいて両方のメカニズムが両立できることを認識することにとどまらない。そうではなく、本開示の一部として、ＤＲＸサイクルの個々の通信期間と有利に組み合わされる、帯域幅部分の使用の特定の組合せが存在することが認識される。この点において、ＤＲＸサイクルにおける通信期間の少なくとも１つに対して、適合化される帯域幅部分を半静的に設定することを提案する。
【００８２】
この点において、ＵＥがｇＮｏｄｅＢによって設定された時点で、ＤＲＸサイクルの少なくとも１つの通信期間中に２つの個別の帯域幅部分のどちらの特定の帯域幅部分を有利に使用できるかを、ＵＥのみならずｇＮｏｄｅＢが（例えば半静的な設定によって）すでに認識していることは、本開示の基礎をなすコンセプトである。ただし、ＵＥがこれを認識していることによって、ｇＮｏｄｅＢが帯域幅部分の使用をさらに動的に制御することが阻止されることはない。しかしながら本開示の前提条件として、ＵＥおよびｇＮｏｄｅＢは、移動通信システムにおけるダウンリンク通信用に、少なくとも１つの第１の狭い帯域幅部分ＢＰ１または第２の広い帯域幅部分ＢＰ２を使用することができる。したがってこのことに基づき、ＵＥおよびｇＮｏｄｅＢが、ＤＲＸサイクル内の少なくとも１つの通信期間の間の帯域幅部分の使用に関して、以下の表の中の特定の使用の組合せを参照することを想定することができる。
【００８３】
次の表は、帯域幅部分の使用の組合せをまとめたものである。
【表１】
2020529764.tif 000003
【００８４】
この場合も、上に示した帯域幅部分の使用の組合せのいずれにおいても、ダウンリンク通信が、ＤＲＸサイクルの各通信期間のための第１の帯域幅部分または第２の帯域幅部分の一方に制限されることはないことを強調しておく。そうではなく、ｇＮｏｄｅＢは依然として、帯域幅部分の使用をさらに動的に制御することができる。
【００８５】
図３Ａを参照し、図３Ａは、２つの連続するＤＲＸサイクル＃Ｎおよび＃Ｎ＋１の例を示しており、ｇＮｏｄｅＢからＵＥにダウンリンクデータが送信されない。それにもかかわらず、両方のＤＲＸサイクルにおいて、ＵＥには、２スロットのタイマー値で「オン期間」タイマーが設定される。したがってＵＥは、両方のＤＲＸサイクル＃Ｎおよび＃Ｎ＋１のタイムスロット＃０および＃１の間ウェイクアップしており、送信されうるダウンリンク割当てを対象に物理ダウンリンク制御チャネルを監視する。
【００８６】
この例では、ＵＥおよびｇＮｏｄｅＢは、第４の帯域幅部分の使用の組合せ（略して第４の用法に従って設定されている。したがってＵＥは、両方のＤＲＸサイクル＃Ｎおよび＃Ｎ＋１のスロット＃０および＃１において、第１の狭い帯域幅部分ＢＰ１を使用して物理ダウンリンク制御チャネルを監視する。この第４の帯域幅部分の使用の組合せでは、ｇＮｏｄｅＢとＵＥの間のダウンリンク通信において最大のバッテリ節約効果が達成される。
【００８７】
第４の帯域幅部分の使用の組合せは、例えば帯域幅使用指示情報（bandwidth usage indication）によってあらかじめｇＮｏｄｅＢによってＵＥに示すことができる、またはＤＲＸサイクルを設定するのと同時にｇＮｏｄｅＢによってＵＥに示すことができる。いずれの場合も、ＵＥは、ＤＲＸサイクルの個々の通信期間中に第１の帯域幅部分または第２の帯域幅部分のどちらを自身が使用するかを、ＤＲＸサイクルを設定するときにはすでに認識している。
【００８８】
例示的な一実施形態においては、帯域幅使用指示情報は、（専用の）無線リソース設定制御（ＲＲＣ）メッセージに含めることができる。例示的な代替実施形態においては、帯域幅指示情報は、ＤＲＸサイクルを設定するＲＲＣメッセージに含めることができる。さらなる代替形態としては、ダウンリンク制御情報（ＤＣＩ）メッセージまたは媒体アクセス制御（ＭＡＣ）制御エレメントが挙げられる。
【００８９】
この場合、ＵＥは、（少なくとも）「オン期間」タイマーが作動している間は、第２の用法に指定されているように狭い帯域幅部分（ＢＰ１）を使用して、スケジューリング割当て（ダウンリンクリソース割当て）を対象に、すなわちリソースブロック（ＲＢ）割当ておよび新規データインジケータ（ＮＤＩ）を含むダウンリンク制御情報（ＤＣＩ）メッセージを対象に、物理ダウンリンク制御チャネル（ＰＤＣＣＨ）を監視し、この場合にＤＣＩのＣＲＣは、ＵＥの識別情報（すなわちＵＥの無線ネットワーク一時識別子（ＲＮＴＩ）、特に、ＵＥのセル無線ネットワーク一時識別子（Ｃ−ＲＮＴＩ））によってスクランブルされている。これによってＵＥは、ダウンリンク制御情報（ＤＣＩ）メッセージが自身宛であるか否かを識別することができる。
【００９０】
物理ダウンリンク制御チャネルの監視が第１の狭い帯域幅部分（ＢＰ１）に制限されていることによって、ＵＥは、電力消費量が減少する恩恵を受ける。これと同時にｇＮｏｄｅＢも、ダウンリンク通信用に第１の狭い帯域幅部分（ＢＰ１）を使用しなければならない。図１Ａを参照しながらすでに説明したように、ＵＥは、スロット＃２においてスリープ状態に戻り、ＤＲＸサイクル＃Ｎの残りの部分においてスリープ状態を継続する。ＤＲＸサイクル＃Ｎ＋１においても、ＵＥの同じ挙動が繰り返される。
【００９１】
図３Ｂを参照し、図３Ｂは、２つの連続するＤＲＸサイクル＃Ｎおよび＃Ｎ＋１の例を示しており、ＤＲＸサイクル＃ＮではｇＮｏｄｅＢからＵＥにダウンリンクデータが送信され、ＤＲＸサイクル＃Ｎ＋１ではダウンリンクデータが送信されない。
【００９２】
この例では、ＵＥおよびｇＮｏｄｅＢは、（この場合も）第４の帯域幅部分の使用の組合せ（略して第４の用法）に従って設定されている。したがってＵＥは、両方のＤＲＸサイクル＃Ｎおよび＃Ｎ＋１のスロット＃０および＃１において、第１の狭い帯域幅部分ＢＰ１を使用して物理ダウンリンク制御チャネルを監視する。この第４の帯域幅部分の使用の組合せでは、ｇＮｏｄｅＢとＵＥの間のダウンリンク通信において最大のバッテリ節約効果が達成される。
【００９３】
この場合も、第４の帯域幅部分の使用の組合せは、例えば帯域幅使用指示情報によってあらかじめｇＮｏｄｅＢによってＵＥに示すことができる、またはＤＲＸサイクルを設定するのと同時にｇＮｏｄｅＢによってＵＥに示すことができる。いずれの場合も、ＵＥは、ＤＲＸサイクルの個々の通信期間中に第１の帯域幅部分ＢＰ１または第２の帯域幅部分ＢＰ２のどちらを自身が使用するかを、ＤＲＸサイクルを設定するときにはすでに認識している。
【００９４】
これに加えて、この例では、ＵＥは、ｇＮｏｄｅＢからのダウンリンクデータ送信用に自身が第２の広い帯域幅部分を動的に有効にするように、ｇＮｏｄｅＢによって制御される。ＵＥは、ダウンリンクデータ送信用の自身宛のスケジューリング割当てを検出すると、示されたリソースブロックにおけるダウンリンクデータ送信用に、第２の広い帯域幅部分（ＢＰ２）を有効にする。この場合、この第２の広い帯域幅部分（ＢＰ２）は、ＴＲＡＮＳＭＩＳＳＩＯＮ期間の残りのスロットにおいても有効にされたままである。
【００９５】
したがって、この動的な有効化によって、ｇＮｏｄｅＢは、ＵＥへの（最初の）ダウンリンクデータ送信用に第２の広い帯域幅部分ＢＰ２を利用し、これによりスループットが最大になり、これに対してＵＥは、バッテリを節約する目的で、監視目的に第１の狭い帯域幅部分（ＢＰ１）のままでいることができる。したがって、２つのコンセプトの有利な組合せが達成される。
【００９６】
なお、この例において、第２の広い帯域幅部分（ＢＰ２）の動的な有効化（および第１の狭い帯域幅部分（ＢＰ１）の無効化）は、個別のシグナリング（例えばＵＥによって受信されるｇＮｏｄｅＢからのスケジューリング割当てに含められる）を必要としないことを強調しておく。そうではなくＵＥは、（標準の）スケジューリング割当ての検出に応えて第２の広い帯域幅部分（ＢＰ２）を有効にすることにより、示されたダウンリンクデータ送信用に、遅延することなく第２の広い帯域幅部分（ＢＰ２）を使用することができる。
【００９７】
第２の広い帯域幅部分ＢＰ２の動的な有効化は、そのＤＲＸサイクルのみのＴＲＡＮＳＭＩＳＳＩＯＮ期間（の残りの部分）に有利に限定される。次のＤＲＸサイクルでは、ＵＥは、第１の狭い帯域幅部分ＢＰ１を使用して物理ダウンリンク制御チャネルの監視を開始する。また、第２の広い帯域幅部分ＢＰ２の動的な有効化は、同じＤＲＸサイクルの別の通信期間（すなわちＩＮＡＣＴＩＶＥ期間およびＲＥＴＲＡＮＳＭＩＳＳＩＯＮ期間）に対して何ら影響しない。
【００９８】
したがって、この動的な有効化によって、ｇＮｏｄｅＢとＵＥの間のダウンリンク通信のスループットを最大にすることができ（ただしこの効果は短い時間枠（すなわち送信期間）のみにおいて維持される）、それと同時に、帯域幅部分を有効にするための複雑なシグナリングも回避される。ＤＲＸサイクルの残りにおいては、ｇＮｏｄｅＢとＵＥの間のダウンリンク通信が第４の帯域幅部分の使用の組合せに従って設定されるため、最大限のバッテリ節約効果が達成される。
【００９９】
この例をさらに詳しく説明すると、「オン期間」タイマーの理由で、ＵＥはスロット＃０でウェイクアップし、物理ダウンリンク制御チャネルを監視する。このスロット＃０では、ＵＥは自身宛のダウンリンク割当てを検出しない。したがってＵＥは、スロット＃０で物理ダウンリンク制御チャネルを監視するのに、第１の狭い帯域幅部分（ＢＰ１）を使用する。
【０１００】
スロット＃１で、物理ダウンリンク制御チャネルにおいて自身宛のスケジューリング割当て（例えば最初の送信用のリソースブロック（ＲＢ）割当てを含むダウンリンク制御情報（ＤＣＩ）メッセージ）を検出すると、ＵＥは第２の広い帯域幅部分ＢＰ２をさらに動的に有効にする。
【０１０１】
第２の広い帯域幅部分ＢＰ２を有効にする（および第１の狭い帯域幅部分ＢＰ１を無効にする）ための有効化時間は、ＵＥが、物理ダウンリンク共有チャネル（ＰＤＳＣＨ）における、スケジューリング割当てによって示された（１つまたは複数の）リソースブロック（ＲＢ）を参照し、その示された（１つまたは複数の）リソースブロックにおいてダウンリンクデータ送信を受信するのに十分である。
【０１０２】
したがってＵＥは、スロット＃１では、スケジューリングされたダウンリンクデータ送信を、第２の広い帯域幅部分ＢＰ２を使用して受信する。ダウンリンクデータ送信を受信すると、ＵＥは続いてスロット＃２およびスロット＃３において、同様に第２の広い帯域幅部分ＢＰ２を使用してダウンリンクデータ送信を受信する。このようにＴＲＡＮＳＭＩＳＳＩＯＮ期間の残りにおいては、ＵＥは第２の広い帯域幅部分ＢＰ２のままであり、これによって、ＤＲＸサイクル＃Ｎのダウンリンク通信において最大のスループットを達成する。
【０１０３】
スロット＃４では、物理ダウンリンク制御チャネルを監視するにもかかわらず、ＵＥはスケジューリング割当てを受信しない。したがってこのスロット＃４は、ＩＮＡＣＴＩＶＥ期間の一部とみなされる。したがってこのスロット＃４に対しては、第４の帯域幅部分の使用の組合せによって指定されるように、ＵＥは第１の狭い帯域幅部分（ＢＰ１）を有効にする（および第２の広い帯域幅部分ＢＰ２を無効にする）。これによってＵＥは、ＩＮＡＣＴＩＶＥ期間の間、最大限のバッテリ節約効果において物理ダウンリンク制御チャネルの監視を実行することができる。ＵＥは、ＩＮＡＣＴＩＶＥ期間（全体）において（すなわちスロット＃４のみならずスロット＃５およびスロット＃６において）、第１の狭い帯域幅部分（ＢＰ１）のままである。このような設定を有する理由は、トラフィックバーストが終了する、または数個のＨＡＲＱプロセスのみを残してまもなく終了するため、おそらくＵＥがＩＮＡＣＴＩＶＥ期間に入るからである。ＩＮＡＣＴＩＶＥ期間におけるトラフィック需要は小さいため、ＵＥは、ｇＮｏｄｅＢが自身と通信する可能性を失うことなく、狭い帯域幅部分（ＢＰ１）を使用することによって電力の節約を享受することができる。
【０１０４】
図示したように、スロット＃９〜スロット＃１１においては、（最初の）ダウンリンクデータ送信の１つが失敗した場合のために設けられるＲＥＴＲＡＮＳＭＩＳＳＩＯＮ期間中に発生する可能性のある再送信のために、ＵＥはウェイクアップしている必要がある。ＲＥＴＲＡＮＳＭＩＳＳＩＯＮ期間は、（最初の）ダウンリンクデータ送信それぞれに対して（例えばハイブリッド自動再送要求（ＨＡＲＱ）プロセスごとに）、個別に設定される。
【０１０５】
ＲＥＴＲＡＮＳＭＩＳＳＩＯＮ期間においては、ＵＥは、第４の帯域幅部分の使用の組合せによって指定されるように、第１の狭い帯域幅部分（ＢＰ１）を再び有効にする（および第２の広い帯域幅部分ＢＰ２を無効にする）。したがってＵＥは、ＲＥＴＲＡＮＳＭＩＳＳＩＯＮ期間中の監視およびダウンリンクデータの再送信の受信も、最大限のバッテリ節約効果において実行することができる。図３Ｂに示したように、ＲＥＴＲＡＮＳＭＩＳＳＩＯＮ期間はＩＮＡＣＴＩＶＥ期間より後に起こり、すなわちトラフィックバーストが終了に近い。したがってｇＮｏｄｅＢは、発生しうるデータを、狭い帯域幅部分（ＢＰ１）を使用して十分に配信することができる。
【０１０６】
結論として、第４の帯域幅部分の使用の組合せでは、ｇＮｏｄｅＢとＵＥの間のダウンリンク通信において最大限のバッテリ節約効果が達成される。ＴＲＡＮＳＭＩＳＳＩＯＮ期間の間の動的な有効化と組み合わせることで、同じＤＲＸサイクルにおいて少なくとも（最初の）ダウンリンクデータ送信のスループットも有利に改善することができる。前述したように、この有利な組合せは、何らの複雑なシグナリングを必要とすることもない。
【０１０７】
図３Ｃおよび図３Ｄを参照し、これらの図は、２つの連続するＤＲＸサイクル＃Ｎおよび＃Ｎ＋１のさらなる例を示しており、ＤＲＸサイクル＃ＮではｇＮｏｄｅＢからＵＥにダウンリンクデータが送信され、ＤＲＸサイクル＃Ｎ＋１ではダウンリンクデータが送信されない。
【０１０８】
この場合も、ＵＥおよびｇＮｏｄｅＢは、第４の帯域幅部分の使用の組合せ（略して第４の用法）に従って設定されており、これに加えて、ＴＲＡＮＳＭＩＳＳＩＯＮ期間の間、ダウンリンクデータ送信用に第２の広い帯域幅部分ＢＰ２を動的に有効にする。したがって結果として、第１の帯域幅部分ＢＰ１および第２の帯域幅部分ＢＰ２は、図３Ｂにおけるダウンリンク通信と比較して似た形で使用される。したがって簡潔さの理由で、その詳しい説明はここでは省く。
【０１０９】
ただし、ＤＲＸサイクルの個々の通信期間が、（図３Ｂのように）時間的に互いに別々であるか、（図３Ｃのように）時間的に重なっているか、または（図３Ｄのように）時間的に一致しているかにかかわらず、帯域幅部分の使用の組合せの定義では、ＤＲＸサイクルのＴＲＡＮＳＭＩＳＳＩＯＮ期間中、ＩＮＡＣＴＩＶＥ期間中、およびＲＥＴＲＡＮＳＭＩＳＳＩＯＮ期間中に、第１の帯域幅部分ＢＰ１または第２の帯域幅部分ＢＰ２のどちらの特定の帯域幅部分が有効にされるかを、つねに一意に識別することができることを強調しておく。
【０１１０】
次に図４Ａ〜図４Ｄを参照し、これらの図は、２つの連続するＤＲＸサイクル＃Ｎおよび＃Ｎ＋１のさらなる例を示しており、ＤＲＸサイクルのそれぞれの通信期間において、ｇＮｏｄｅＢはダウンリンクでＵＥと通信する（または通信しない）。これらの例すべてにおいて、ＵＥおよびｇＮｏｄｅＢは、第３の帯域幅部分の使用の組合せ（略して第３の用法）に従って設定されており、これに加えて、ＤＲＸサイクルのＴＲＡＮＳＭＩＳＳＩＯＮ期間の間、ダウンリンクデータ送信用に第２の広い帯域幅部分ＢＰ２を動的に有効にする。
【０１１１】
したがってＵＥは、図４Ａ〜図４ＤすべてのＤＲＸサイクルのＴＲＡＮＳＭＩＳＳＩＯＮ期間の最初に、第１の狭い帯域幅部分ＢＰ１を有効にする。次に、図４Ｂ〜図４Ｄに示したように、物理ダウンリンク制御チャネルにおいてスケジューリング割当てが検出されると、第２の広い帯域幅部分（ＢＰ２）を有効にし、ダウンリンクデータ送信用にこの帯域幅部分ＢＰ２を使用する。この第２の広い帯域幅部分ＢＰ２は、同じＤＲＸサイクルのＴＲＡＮＳＭＩＳＳＩＯＮ期間の残りにおいて有効にされたままである。
【０１１２】
ダウンリンクデータ送信が完了した（かつさらなるスケジューリング割当てが検出されない）後、ＵＥはＩＮＡＣＴＩＶＥ期間に入り、この目的のため、図４Ｂのスロット＃４、図４Ｃのスロット＃７、または図４Ｄのスロット＃９において、第１の狭い帯域幅部分ＢＰ１を有効にする。この動作も、第３の帯域幅部分の使用の組合せによって指定される動作に準拠する。
【０１１３】
ＲＥＴＲＡＮＳＭＩＳＳＩＯＮ期間（図４Ｂ〜図４Ｄにおけるスロット＃９から始まる）においては、ＵＥは、物理ダウンリンク制御チャネルを監視する目的と、発生する可能性のあるダウンリンクデータの再送信を物理ダウンリンク共有チャネルを通じて受信する目的で、第２の広い帯域幅部分（ＢＰ２）を再び有効にする。第２の広い帯域幅部分（ＢＰ２）を使用することにより、ダウンリンクデータの再送信のより高い信頼性を達成することができ、なぜならｇＮｏｄｅＢは、周波数領域における大きな自由度を有し、より低い符号化率および／またはより良好なダイバーシチをもたらすことのできる再送信用リソースをスケジューリングするためである。また、第２の広い帯域幅部分（ＢＰ２）を使用することで、ＵＥは、ダウンリンクデータの再送信にも、（最初の）ダウンリンクデータ送信用と同じ帯域幅部分を有利に使用する。しかしながら電力消費量は、前述した第４の用法と比較してわずかに増加することがある。
【０１１４】
［さまざまな動的な有効化メカニズム］
【０１１５】
図を参照しながら上にすでに説明した、ダウンリンクデータ送信用の動的な有効化に加えて、複数の異なる半静的に設定される第１〜第４の帯域幅部分の使用の組合せを補足するために使用することのできる、複数の異なる動的な有効化メカニズムが存在する。以下のメカニズムのいずれも、ＤＲＸサイクル内のダウンリンク通信にただちに適用することができ、想定されるシナリオに応じて、さらなる利点がもたらされる。
【０１１６】
１つのメカニズムにおいては、ＵＥは、ＲＥＴＲＡＮＳＭＩＳＳＩＯＮ期間の間に、対応する（最初の）送信のダウンリンクデータの再送信を（例えばダウンリンク制御情報（ＤＣＩ）メッセージ内のＨＡＲＱ情報を介して）示すスケジューリング割当てを検出したときに、第２の広い帯域幅部分（ＢＰ２）を動的に有効にする。次にＵＥは、ダウンリンクデータの再送信を、有効にされた第２の広い帯域幅部分（ＢＰ２）を使用してｇＮｏｄｅＢから受信する。
【０１１７】
第２の広い帯域幅部分（ＢＰ２）のこの動的な有効化メカニズムを使用する場合、ｇＮｏｄｅＢは、ＲＥＴＲＡＮＳＭＩＳＳＩＯＮ期間の間、ダウンリンクデータの再送信用のスケジューリング割当てへの（１つまたは複数の）リソースブロックを、より柔軟に選択することができる。この柔軟性の結果として、特にｇＮｏｄｅＢがより多数の送信の失敗に対処しなければならない場合に、ＲＥＴＲＡＮＳＭＩＳＳＩＯＮ期間の間の信頼性がさらに改善されうる。
【０１１８】
すぐに理解できるように、ＲＥＴＲＡＮＳＭＩＳＳＩＯＮ期間の間の第２の広い帯域幅部分ＢＰ２のこの動的な有効化を、ＴＲＡＮＳＭＩＳＳＩＯＮ期間の間の同じ第２の広い帯域幅部分ＢＰ２の動的な有効化と組み合わることができる。ただし、それぞれの動的な有効化によってバッテリもいくらか消費され、したがって全体的なバッテリ節約効果が低下することを念頭に置かなければならない。
【０１１９】
別のメカニズムにおいては、ＵＥは、（最初の）ダウンリンクデータ送信の場合と同じ帯域幅部分（例：ＢＰ１またはＢＰ２）を、ダウンリンクデータの再送信に使用されるように動的に有効にする。このメカニズムでは、ＴＲＡＮＳＭＩＳＳＩＯＮ期間の間にｇＮｏｄｅＢとＵＥの間の（最初の）ダウンリンクデータ送信が失敗し、ＲＥＴＲＡＮＳＭＩＳＳＩＯＮ期間の間に、それに応じた再送信用のスケジューリング割当てをＵＥが検出するものと想定する。その場合、このメカニズムでは、ＵＥは、帯域幅部分（ＢＰ１またはＢＰ２）のうち、（最初の）ダウンリンクデータ送信にも使用された同じ帯域幅部分を有効にする。
【０１２０】
このような動的な有効化パターンは、ｇＮｏｄｅＢが（最初の）送信のみならず再送信用にも同じ帯域幅部分を自由に使用できるようにすることを望む場合に、有利であり得る。ｇＮｏｄｅＢが、ＵＥへの（最初の）送信に低い優先性を与える場合、ｇＮｏｄｅＢは再送信も同じ低い優先性で扱われるようにすることができる。その一方で、ｇＮｏｄｅＢが、ＵＥへの（最初の）送信に高い優先性を与える場合、再送信にも同じことがあてはまる。
【０１２１】
すぐに理解できるように、再送信用に、最初の送信用と同じ帯域幅部分を動的に有効にすることによって、たとえこのメカニズムを、変化する帯域幅部分の使用の組合せとさまざまに組み合わせるときにも、ｇＮｏｄｅＢは両方の送信に対して同じ優先性レベルを適用することができる。また、第２の広い帯域幅部分（ＢＰ２）の動的な有効化が頻繁に変更される場合、同じレベルの優先性を適用することができる。
【０１２２】
上に説明した動的メカニズムのいずれにおいても、スケジューリング割当て自体を伝えるＤＣＩメッセージを、帯域幅部分を動的に切り替えるためのトリガーとして使用することができる。したがって、帯域幅部分の切り替えを明示的に示すためにＤＣＩ内の追加のビットフィールドは必要ない。
【０１２３】
さらに別のメカニズムにおいては、ｇＮｏｄｅＢは、ＤＲＸサイクルの通信期間（の時間長全体）において特定の帯域幅部分（ＢＰ１またはＢＰ２）を有効にするための指示を含むダウンリンク制御情報（ＤＣＩ）メッセージの形で、ＵＥに送信する。この有効化は、それぞれの通信期間（ＴＲＡＮＳＭＩＳＳＩＯＮ期間、ＩＮＡＣＴＩＶＥ期間、およびＲＥＴＲＡＮＳＭＩＳＳＩＯＮ期間の１つ）に先立ってＤＣＩメッセージを送信することによって、達成することができる。
【０１２４】
このような場合には、有効にされる帯域幅部分を示すために、ＤＣＩ内の専用のビットフィールドが必要である。ＤＣＩ内の専用のビットフィールドを有するさらなる利点として、複数の広い帯域幅部分および狭い帯域幅部分がＵＥに対して設定されている場合に、帯域幅部分を示すことが容易になる。このような場合、有効にされる帯域幅部分（広い、または狭い）を、例えば帯域幅部分インデックスによって示すことができる。
【０１２５】
ＵＥは、ＤＣＩメッセージの受信に応えて、ＤＲＸサイクルの示された通信期間中のｇＮｏｄｅＢとのダウンリンク通信を、指示された帯域幅部分（ＢＰ１またはＢＰ２）を使用するように設定する。
【０１２６】
したがってこのメカニズムでは、ＤＲＸサイクルの１つの通信期間の時間長全体にわたり、指示された帯域幅部分（ＢＰ１またはＢＰ２）を動的に有効にすることもできる。これは他の動的な有効化メカニズムでは不可能であり、他のすべてのメカニズムは、必要なとき（すなわちスケジューリング割当ての受信時）にのみ、それぞれの帯域幅部分を有効にする。したがってこのメカニズムも、例えば瞬間的なトラフィック需要の場合に、第１〜第４の帯域幅部分の使用の組合せを有利な方法で補足することができる。
【０１２７】
複数の異なる動的メカニズムでは、ＤＣＩの構造が異なるため、ＵＥおよびｇＮｏｄｅＢは、上の３つのメカニズムのうち現在どのメカニズムが使用されているかの共通の認識を有するべきである。この共通の認識は、例えばｇＮｏｄｅＢからＵＥへのＲＲＣシグナリングによって確立することができる。
【０１２８】
［半静的に設定される第１〜第４の用法の利点］
【０１２９】
第１〜第４の帯域幅部分の使用の組合せ（略して第１〜第４の用法）は異なる利点を有し、異なるシナリオに向いている。ただし、すべての共通点として、第１〜第４の帯域幅部分の使用の組合せのいずれも、ＤＲＸサイクル中のすべての異なる通信期間において第１の帯域幅部分または第２の帯域幅部分（ＢＰ１またはＢＰ２）のどちらが使用されるかを指定する。言い換えれば、第１〜第４の帯域幅の使用の組合せのいずれか１つを、ＤＲＸサイクルのすべての異なる通信タイミングに使用することができる。
【０１３０】
第１〜第４の帯域幅の使用の組合せにより、ＤＲＸサイクル全体の間の、第１の帯域幅部分または第２の帯域幅部分（ＢＰ１またはＢＰ２）のどちらが使用されるかのＵＥとｇＮｏｄｅＢの間での共通の認識を、容易にもたらすことができる。したがって、第１〜第４の帯域幅の使用の組合せによって達成される有利な効果として、ＵＥは、ＤＲＸサイクルの少なくとも１つの通信期間の間（より具体的にはすべての通信期間の間）、第１の帯域幅部分および第２の帯域幅部分のうちの特定の帯域幅部分（ＢＰ１またはＢＰ２）を使用して、ダウンリンク通信を受信することができる。
【０１３１】
この目的のため、第１〜第４の帯域幅の使用の組合せが、例えば（専用の）無線リソース制御（ＲＲＣ）メッセージの中で、ｇＮｏｄｅＢからＵＥに半静的に示される。代替の例示的な実施形態においては、帯域幅の指示情報を、ＤＲＸサイクルを設定するＲＲＣメッセージに含めることができる。さらなる代替形態としては、ダウンリンク制御情報（ＤＣＩ）メッセージまたは媒体アクセス制御（ＭＡＣ）制御エレメントが挙げられる。
【０１３２】
これに代えて、第１〜第４の帯域幅の使用の組合せを、ＮＲの３ＧＰＰ技術規格内の適切なセクションに規定することもでき、したがって、ｇＮｏｄｅＢからＵＥへの指示情報には、第１〜第４の帯域幅の使用の組合せのうちの１つへの参照が含まれるのみである。このことは、第１〜第４の帯域幅の使用の組合せのうちのどれが使用されるかに関する共通の認識をｇＮｏｄｅＢとＵＥの両方が有するならば、わずか２ビットによって達成することができる。これに代えて、３ＧＰＰ技術規格の仕様書に、帯域幅の４つの用法のうちの１つと、ＵＥのカテゴリおよび／またはサービスのシナリオとの間の関係を規定することができる。このような関係を使用して、１つの特定のカテゴリに属する、および／または特定のデプロイメントシナリオにおけるＵＥは、帯域幅部分の使用の１つの特定の組合せに従う。このような方法では、設定のシグナリングオーバーヘッドが排除される。
【０１３３】
さらなる代替形態においては、第１〜第４の帯域幅の使用の組合せを拡張することができ、すなわち、第１〜第４の帯域幅の使用の組合せの指示情報は、何が第１の狭い帯域幅部分（ＢＰ１）であるかと、何が第２の広い帯域幅部分（ＢＰ２）であるかのさらなる情報を必要とする。このさらなる情報は、特に、システム帯域幅全体にわたり複数の狭い帯域幅部分および複数の広い帯域幅部分を設定することのできる移動通信システムにおいて、必要である。
【０１３４】
この場合、このさらなる情報は、設定されている複数の異なる狭い帯域幅部分および広い帯域幅部分のうちのどれを、第１〜第４の帯域幅の使用の組合せの第１の帯域幅部分（ＢＰ１）および第２の帯域幅部分（ＢＰ２）として使用するかが認識されるように、第１〜第４の帯域幅の使用の組合せを補足しなければならない。このさらなる情報は、例えばダウンリンク制御情報（ＤＣＩ）メッセージの形でｇＮｏｄｅＢからＵＥにシグナリングすることができる。
【０１３５】
シグナリングするこのＤＣＩメッセージは、特に、システム帯域幅内の複数の重なり合わない、または重なり合う狭い帯域幅部分および広い帯域幅部分の中から、第１の帯域幅部分（ＢＰ１）および／または第２の帯域幅部分（ＢＰ２）を選択するためのインデックス、を含むことができる。したがって、半静的に設定される第１〜第４の帯域幅部分の使用の組合せは、移動通信システムのこの設定にも適している。
【０１３６】
第１の帯域幅部分の使用の組合せ（略して第１の用法）では、ＤＲＸサイクルの最初に、つねに広い帯域幅部分（ＢＰ２）を有利に使用する。これにより、行われうるビーム管理手順（beam management procedure）が容易になり、なぜなら広い帯域幅部分を、良好なビーム測定精度のために使用できるためである。さらに帯域幅部分の第１の用法の特徴として、ＤＲＸサイクルにおける通信期間全体にわたり帯域幅部分の切り替えが生じない。これにより、帯域幅の切り替えのオーバーヘッドが排除されるという利点が得られる。しかしながら、帯域幅部分の適合化による電力節約の利得は得られないため、帯域幅部分の第１の用法は、トラフィック特性が完全に既知でありＤＲＸサイクルが正確に設定されるときに使用することができる。
【０１３７】
これに対して、第２〜第４の帯域幅部分の使用の組合せでは、ＵＥは、各ＤＲＸサイクルにおいてウェイクアップしたときに、つねに狭い帯域幅部分（ＢＰ１）を有効にする。これにより、ＵＥが不必要にウェイクアップしたときに電力消費量を低減することができる。したがって、ＤＲＸサイクルおよびオン期間タイマーの設定を、第１の用法と比較して、より緩和することができる。
【０１３８】
第２の帯域幅部分の使用の組合せ（略して第２の用法）では、スケジューリング割当てが検出された時点で（例えば動的メカニズムによって）狭い帯域幅部分から広い帯域幅部分に切り替えることができるのみであり、ＤＲＸサイクルの残りにおいては広い帯域幅部分が有利に維持される。広い帯域幅部分ではピークデータレートを高めることができるため、したがってバーストトラフィックをより迅速に処理することができる。これによりＵＥは、より早期にスリープ状態に戻ることができる。他の時間期間（ＩＮＡＣＴＩＶＥ期間など）の間、広い帯域幅部分を有することは、さらにｇＮｏｄｅＢにスケジューリング上の柔軟性をもたらすことができる。しかしながらこの第２の用法では、第１の用法と比較して、帯域幅部分の切り替えのオーバーヘッドがわずかに増大する。それにもかかわらず第２の用法は、トラフィック特性が完全にではなく大まかに既知であるときに、有利に使用することができる。
【０１３９】
第３の帯域幅部分の使用の組合せ（略して第３の用法）では、ＴＲＡＮＳＭＩＳＳＩＯＮ期間の間にスケジューリング割当てが検出された時点で帯域幅部分の適合化にどの動的メカニズムが使用されるかに応じて、（最初の）送信より高い優先性または同じ優先性が再送信に有利に与えられる。したがって第３の用法では、高い信頼性の再送信がもたらされ、トラフィック負荷が高いときに帯域幅が効率的に使用される。
【０１４０】
第４の帯域幅部分の使用の組合せ（略して第４の用法）では、より良好な電力節約を達成するために帯域幅部分のより多くの切り替えが有利に可能であるが、その代償として切り替え（移行）のオーバーヘッドが増大する。第４の用法は、トラフィック特性が既知ではなく、したがってトラフィックバーストに合致するＤＲＸ設定を設定できないときに、有利に適用することができる。帯域幅部分の第４の用法を利用する場合、依然として電力節約の利得を達成することができる。
【０１４１】
本開示は、ソフトウェアによって、ハードウェアによって、またはハードウェアと協働するソフトウェアによって、実施することができる。上述した各実施形態の説明において使用される各機能ブロックは、その一部または全体を、集積回路などのＬＳＩによって実施することができ、各実施形態において説明した各プロセスは、その一部または全体を、同じＬＳＩまたはＬＳＩの組合せによって制御することができる。ＬＳＩは、チップとして個別に形成する、または、機能ブロックの一部またはすべてが含まれるように１個のチップを形成することができる。ＬＳＩは、自身に結合されたデータ入出力部を含むことができる。ＬＳＩは、集積度の違いに応じて、ＩＣ、システムＬＳＩ、スーパーＬＳＩ、またはウルトラＬＳＩとも称される。しかしながら、集積回路を実施する技術は、ＬＳＩに限定されず、専用回路、汎用プロセッサ、または専用プロセッサを使用することによって実施することができる。さらには、ＬＳＩの製造後にプログラムすることのできるＦＰＧＡ（フィールドプログラマブルゲートアレイ）や、ＬＳＩ内部に配置されている回路セルの接続および設定を再設定できるリコンフィギャラブル・プロセッサを使用することもできる。本開示は、デジタル処理またはアナログ処理として実施することができる。半導体技術または別の派生技術が進歩する結果として、ＬＳＩが将来の集積回路技術に置き換わる場合、その将来の集積回路技術を使用して機能ブロックを集積化することができる。バイオテクノロジを適用することもできる。
【０１４２】
第１の態様によれば、移動通信システムにおいて、システム帯域幅内の第１の帯域幅部分および第２の帯域幅部分の少なくとも一方を使用して基地局と通信する移動端末であって、第１の帯域幅部分が第２の帯域幅部分より小さい、移動端末、を提案する。本移動端末は、動作時に不連続受信（ＤＲＸ）サイクルの設定を受信する送受信機と、動作時、ＤＲＸサイクルの設定の受信に応じて、ＤＲＸサイクル内の通信期間の少なくとも１つの間のダウンリンク通信を、少なくとも第１の帯域幅部分および第２の帯域幅部分のうちの特定の１つを使用するように設定するプロセッサと、を備えている。
【０１４３】
第１の態様と組み合わせることのできる第２の態様によれば、本移動端末のプロセッサは、動作時、ダウンリンク通信を帯域幅使用指示情報に従って設定し、帯域幅使用指示情報は、ＤＲＸサイクル内の通信期間の少なくとも１つの間、少なくとも第１の帯域幅部分および第２の帯域幅部分のうちの特定の１つを使用することを示す。
【０１４４】
第２の態様と組み合わせることのできる第３の態様によれば、本移動端末の送受信機は、動作時、帯域幅使用指示情報を、無線リソース制御（ＲＲＣ）メッセージ、ダウンリンク制御情報（ＤＣＩ）メッセージ、または媒体アクセス制御（ＭＡＣ）制御エレメント、を介して受信する。
【０１４５】
第２の態様または第３の態様と組み合わせることのできる第４の態様によれば、本移動端末の送受信機は、動作時、帯域幅使用指示情報を、ＤＲＸサイクルの設定も含むメッセージにおいて受信する。
【０１４６】
第２の態様から第４の態様と組み合わせることのできる第５の態様によれば、帯域幅使用指示情報は、ＤＲＸサイクル内の少なくともＴＲＡＮＳＭＩＳＳＩＯＮ期間、ＩＮＡＣＴＩＶＥ期間、およびＲＥＴＲＡＮＳＭＩＳＳＩＯＮ期間の間、少なくとも第１の帯域幅部分および第２の帯域幅部分のうちの特定の１つを使用することを示す、および／または、帯域幅使用指示情報は、ＤＲＸサイクル内のＴＲＡＮＳＭＩＳＳＩＯＮ期間の間の第２の帯域幅部分と、ＩＮＡＣＴＩＶＥ期間の間の第２の帯域幅部分と、ＲＥＴＲＡＮＳＭＩＳＳＩＯＮ期間の間の第２の帯域幅部分と、を含む第１の用法、または、ＤＲＸサイクル内のＴＲＡＮＳＭＩＳＳＩＯＮ期間の間の第１の帯域幅部分と、ＩＮＡＣＴＩＶＥ期間の間の第２の帯域幅部分と、ＲＥＴＲＡＮＳＭＩＳＳＩＯＮ期間の間の第２の帯域幅部分と、を含む第２の用法、または、ＤＲＸサイクル内のＴＲＡＮＳＭＩＳＳＩＯＮ期間の間の第１の帯域幅部分と、ＩＮＡＣＴＩＶＥ期間の間の第１の帯域幅部分と、ＲＥＴＲＡＮＳＭＩＳＳＩＯＮ期間の間の第２の帯域幅部分と、を含む第３の用法、または、ＤＲＸサイクル内のＴＲＡＮＳＭＩＳＳＩＯＮ期間の間の第１の帯域幅部分と、ＩＮＡＣＴＩＶＥ期間の間の第１の帯域幅部分と、ＲＥＴＲＡＮＳＭＩＳＳＩＯＮ期間の間の第１の帯域幅部分と、を含む第４の用法、のいずれかを示す。
【０１４７】
第１の態様から第５の態様と組み合わせることのできる第６の態様によれば、本移動端末のプロセッサは、動作時、送受信機がダウンリンク送信またはダウンリンク再送信のためのダウンリンクスケジューリング割当てを受信する場合に、ＴＲＡＮＳＭＩＳＳＩＯＮ期間またはＲＥＴＲＡＮＳＭＩＳＳＩＯＮ期間の間のダウンリンク通信を、それぞれ、第２の帯域幅部分を使用するように設定する。
【０１４８】
第１の態様から第６の態様と組み合わせることのできる第７の態様によれば、本移動端末のプロセッサは、動作時、送受信機がダウンリンク再送信のためのダウンリンクスケジューリング割当てを受信する場合に、ＲＥＴＲＡＮＳＭＩＳＳＩＯＮ期間の間の通信を、第１の帯域幅部分および第２の帯域幅部分のうちＴＲＡＮＳＭＩＳＳＩＯＮ期間の間の対応する送信のダウンリンク通信の場合と同じ帯域幅部分を使用するように、設定する。
【０１４９】
第３の態様と組み合わせることのできる第８の態様によれば、本移動端末のプロセッサは、動作時、送受信機が、ＤＲＸサイクル内の通信期間の少なくとも１つの間、少なくとも第１の帯域幅部分および第２の帯域幅部分のうちの特定の１つを有効にする指示、を含むダウンリンク制御情報（ＤＣＩ）メッセージを受信する場合に、ＤＲＸサイクル内の通信期間のうちの対応する少なくとも１つの間の通信を、少なくとも第１の帯域幅部分および第２の帯域幅部分のうちの指示された特定の１つを使用するように、設定する。
【０１５０】
第１の態様から第８の態様と組み合わせることのできる第９の態様によれば、本移動端末の送受信機は、動作時、システム帯域幅内の複数の重なり合わない、または重なり合う狭い帯域幅部分および広い帯域幅部分の中から、第１の帯域幅部分および／または第２の帯域幅部分を選択するためのインデックス、を含む設定メッセージ、オプションとしてダウンリンク制御情報（ＤＣＩ）メッセージ、を受信する。
【０１５１】
第１０の態様によれば、移動通信システムにおいて、システム帯域幅内の第１の帯域幅部分および第２の帯域幅部分の少なくとも一方を使用して移動端末と通信する基地局であって、第１の帯域幅部分が第２の帯域幅部分より小さい、基地局、を提案する。本基地局は、動作時に不連続受信（ＤＲＸ）サイクルの設定を送信する送受信機と、動作時、ＤＲＸサイクルの設定の送信に応じて、ＤＲＸサイクル内の通信期間の少なくとも１つの間のダウンリンク通信を、少なくとも第１の帯域幅部分および第２の帯域幅部分のうちの特定の１つを使用するように設定するプロセッサと、を備えている。
【０１５２】
第１０の態様と組み合わせることのできる第１１の態様によれば、本基地局のプロセッサは、動作時、ＤＲＸサイクル内の通信期間の少なくとも１つの間、少なくとも第１の帯域幅部分および第２の帯域幅部分のうちの特定の１つを使用することを示す帯域幅使用指示情報、に従って、ダウンリンク通信を設定する。
【０１５３】
第１１の態様と組み合わせることのできる第１２の態様によれば、本基地局の送受信機は、動作時、帯域幅使用指示情報を、無線リソース制御（ＲＲＣ）メッセージ、ダウンリンク制御情報（ＤＣＩ）メッセージ、または媒体アクセス制御（ＭＡＣ）制御エレメント、を介して送信する。
【０１５４】
第１１の態様または第１２の態様と組み合わせることのできる第１３の態様によれば、本基地局の送受信機は、動作時、帯域幅使用指示情報を、ＤＲＸサイクルの設定も含むメッセージにおいて送信する。
【０１５５】
第１１の態様から第１３の態様と組み合わせることのできる第１４の態様によれば、帯域幅使用指示情報は、ＤＲＸサイクル内の少なくともＴＲＡＮＳＭＩＳＳＩＯＮ期間、ＩＮＡＣＴＩＶＥ期間、およびＲＥＴＲＡＮＳＭＩＳＳＩＯＮ期間の間、少なくとも第１の帯域幅部分および第２の帯域幅部分のうちの特定の１つを使用することを示す、および／または、帯域幅使用指示情報は、ＤＲＸサイクル内のＴＲＡＮＳＭＩＳＳＩＯＮ期間の間の第２の帯域幅部分と、ＩＮＡＣＴＩＶＥ期間の間の第２の帯域幅部分と、ＲＥＴＲＡＮＳＭＩＳＳＩＯＮ期間の間の第２の帯域幅部分と、を含む第１の用法、または、ＤＲＸサイクル内のＴＲＡＮＳＭＩＳＳＩＯＮ期間の間の第１の帯域幅部分と、ＩＮＡＣＴＩＶＥ期間の間の第２の帯域幅部分と、ＲＥＴＲＡＮＳＭＩＳＳＩＯＮ期間の間の第２の帯域幅部分と、を含む第２の用法、または、ＤＲＸサイクル内のＴＲＡＮＳＭＩＳＳＩＯＮ期間の間の第１の帯域幅部分と、ＩＮＡＣＴＩＶＥ期間の間の第１の帯域幅部分と、ＲＥＴＲＡＮＳＭＩＳＳＩＯＮ期間の間の第２の帯域幅部分と、を含む第３の用法、または、ＤＲＸサイクル内のＴＲＡＮＳＭＩＳＳＩＯＮ期間の間の第１の帯域幅部分と、ＩＮＡＣＴＩＶＥ期間の間の第１の帯域幅部分と、ＲＥＴＲＡＮＳＭＩＳＳＩＯＮ期間の間の第１の帯域幅部分と、を含む第４の用法、のいずれかを示す。
【０１５６】
第１０の態様から第１４の態様と組み合わせることのできる第１５の態様によれば、本基地局のプロセッサは、動作時、送受信機がダウンリンク送信またはダウンリンク再送信のためのダウンリンクスケジューリング割当てを送信する場合に、ＴＲＡＮＳＭＩＳＳＩＯＮ期間またはＲＥＴＲＡＮＳＭＩＳＳＩＯＮ期間の間のダウンリンク通信を、それぞれ、第２の帯域幅部分を使用するように設定する。
【０１５７】
第１０の態様から第１５の態様と組み合わせることのできる第１６の態様によれば、本基地局のプロセッサは、動作時、送受信機がダウンリンク再送信のためのダウンリンクスケジューリング割当てを送信する場合に、ＲＥＴＲＡＮＳＭＩＳＳＩＯＮ期間の間の通信を、第１の帯域幅部分および第２の帯域幅部分のうちＴＲＡＮＳＭＩＳＳＩＯＮ期間の間の対応する送信のダウンリンク通信の場合と同じ帯域幅部分を使用するように、設定する。
【０１５８】
第１０の態様から第１６の態様と組み合わせることのできる第１７の態様によれば、本基地局のプロセッサは、動作時、送受信機が、ＤＲＸサイクル内の通信期間の少なくとも１つの間、少なくとも第１の帯域幅部分および第２の帯域幅部分のうちの特定の１つを有効にする指示、を含むダウンリンク制御情報（ＤＣＩ）メッセージを送信する場合に、ＤＲＸサイクル内の通信期間のうちの対応する少なくとも１つの間の通信を、少なくとも第１の帯域幅部分および第２の帯域幅部分のうちの指示された特定の１つを使用するように、設定する。
【０１５９】
第１０の態様から第１７の態様と組み合わせることのできる第１８の態様によれば、本基地局の送受信機は、動作時、システム帯域幅内の複数の重なり合わない、または重なり合う狭い帯域幅部分および広い帯域幅部分の中から、第１の帯域幅部分および／または第２の帯域幅部分を選択するためのインデックス、を含む設定メッセージ、オプションとしてダウンリンク制御情報（ＤＣＩ）メッセージ、を送信する。
【０１６０】
第１９の態様によれば、移動通信システムにおいて、システム帯域幅内の第１の帯域幅部分および第２の帯域幅部分の少なくとも一方を使用して基地局と通信するための移動端末の動作方法であって、第１の帯域幅部分が第２の帯域幅部分より小さい、動作方法、を提案する。本方法は、不連続受信（ＤＲＸ）サイクルの設定を受信するステップと、ＤＲＸサイクルの設定の受信に応じて、ＤＲＸサイクル内の通信期間の少なくとも１つの間のダウンリンク通信を、少なくとも第１の帯域幅部分および第２の帯域幅部分のうちの特定の１つを使用するように設定するステップと、を含む。
【０１６１】
第２０の態様によれば、移動通信システムにおいて、システム帯域幅内の第１の帯域幅部分および第２の帯域幅部分の少なくとも一方を使用して移動端末と通信するための基地局の動作方法であって、第１の帯域幅部分が第２の帯域幅部分より小さい、動作方法、を提案する。本方法は、不連続受信（ＤＲＸ）サイクルの設定を送信するステップと、ＤＲＸサイクルの設定の送信に応じて、ＤＲＸサイクル内の通信期間の少なくとも１つの間のダウンリンク通信を、少なくとも第１の帯域幅部分および第２の帯域幅部分のうちの特定の１つを使用するように設定するステップと、を含む。
【図１Ａ】
2020529764.tif 000004
【図１Ｂ】
2020529764.tif 000005
【図１Ｃ】
2020529764.tif 000006
【図１Ｄ】
2020529764.tif 000007
【図２】
2020529764.tif 000008
【図３Ａ】
2020529764.tif 000009
【図３Ｂ】
2020529764.tif 000010
【図３Ｃ】
2020529764.tif 000011
【図３Ｄ】
2020529764.tif 000012
【図４Ａ】
2020529764.tif 000013
【図４Ｂ】
2020529764.tif 000014
【図４Ｃ】
2020529764.tif 000015
【図４Ｄ】
2020529764.tif 000016
【手続補正書】
【提出日】令和2年3月24日(2020.3.24)
【手続補正１】
【補正対象書類名】特許請求の範囲
【補正対象項目名】全文
【補正方法】変更
【補正の内容】
【特許請求の範囲】
【請求項１】
移動通信システムにおいて、システム帯域幅内の第１の帯域幅部分（ＢＰ１）および第２の帯域幅部分（ＢＰ２）の少なくとも一方を使用して基地局（２６０）と通信する移動端末（２１０）であって、前記移動端末が、
動作時、不連続受信（ＤＲＸ）サイクルの設定を受信する送受信機（２２０）と、
動作時、前記ＤＲＸサイクルの前記設定の受信に応じて、前記ＤＲＸサイクル内の通信期間の少なくとも１つの間のダウンリンク通信を、少なくとも前記第１の帯域幅部分（ＢＰ１）および前記第２の帯域幅部分（ＢＰ２）のうちの特定の１つを使用するように設定するプロセッサ（２３０）と、
を備えている、移動端末。
【請求項２】
動作時、前記プロセッサが、
前記ＤＲＸサイクル内の前記通信期間の少なくとも１つの間、少なくとも前記第１の帯域幅部分および前記第２の帯域幅部分のうちの特定の１つを使用することを示す帯域幅使用指示情報、
に従って、前記ダウンリンク通信を設定する、
請求項１に記載の移動端末。
【請求項３】
動作時、前記送受信機が、前記帯域幅使用指示情報を、無線リソース制御（ＲＲＣ）メッセージ、ダウンリンク制御情報（ＤＣＩ）メッセージ、または媒体アクセス制御（ＭＡＣ）制御エレメント、を介して受信する、
および／または、
動作時、前記送受信機が、前記帯域幅使用指示情報を、前記ＤＲＸサイクルの前記設定も含むメッセージにおいて受信する、
請求項２に記載の移動端末。
【請求項４】
前記帯域幅使用指示情報が、前記ＤＲＸサイクル内の少なくともＴＲＡＮＳＭＩＳＳＩＯＮ期間、ＩＮＡＣＴＩＶＥ期間、およびＲＥＴＲＡＮＳＭＩＳＳＩＯＮ期間の間、少なくとも前記第１の帯域幅部分および前記第２の帯域幅部分のうちの特定の１つを使用することを示す、
および／または、
前記帯域幅使用指示情報が、
−  前記ＤＲＸサイクル内の前記ＴＲＡＮＳＭＩＳＳＩＯＮ期間の間の前記第２の帯域幅部分（ＢＰ２）と、前記ＩＮＡＣＴＩＶＥ期間の間の前記第２の帯域幅部分（ＢＰ２）と、前記ＲＥＴＲＡＮＳＭＩＳＳＩＯＮ期間の間の前記第２の帯域幅部分（ＢＰ２）と、を含む第１の用法、または、
−  前記ＤＲＸサイクル内の前記ＴＲＡＮＳＭＩＳＳＩＯＮ期間の間の前記第１の帯域幅部分（ＢＰ１）と、前記ＩＮＡＣＴＩＶＥ期間の間の前記第２の帯域幅部分（ＢＰ２）と、前記ＲＥＴＲＡＮＳＭＩＳＳＩＯＮ期間の間の前記第２の帯域幅部分（ＢＰ２）と、を含む第２の用法、または、
−  前記ＤＲＸサイクル内の前記ＴＲＡＮＳＭＩＳＳＩＯＮ期間の間の前記第１の帯域幅部分（ＢＰ１）と、前記ＩＮＡＣＴＩＶＥ期間の間の前記第１の帯域幅部分（ＢＰ１）と、前記ＲＥＴＲＡＮＳＭＩＳＳＩＯＮ期間の間の前記第２の帯域幅部分（ＢＰ２）と、を含む第３の用法、または、
−  前記ＤＲＸサイクル内の前記ＴＲＡＮＳＭＩＳＳＩＯＮ期間の間の前記第１の帯域幅部分（ＢＰ１）と、前記ＩＮＡＣＴＩＶＥ期間の間の前記第１の帯域幅部分（ＢＰ１）と、前記ＲＥＴＲＡＮＳＭＩＳＳＩＯＮ期間の間の前記第１の帯域幅部分（ＢＰ１）と、を含む第４の用法、
のいずれかを示す、
請求項２または請求項３に記載の移動端末。
【請求項５】
前記送受信機がダウンリンク送信またはダウンリンク再送信のためのダウンリンクスケジューリング割当てを受信する場合に、前記プロセッサが、動作時、ＴＲＡＮＳＭＩＳＳＩＯＮ期間またはＲＥＴＲＡＮＳＭＩＳＳＩＯＮ期間の間のダウンリンク通信を、それぞれ、前記第２の帯域幅部分（ＢＰ２）を使用するように設定する、請求項１から請求項４のいずれか１項に記載の移動端末。
【請求項６】
前記送受信機がダウンリンク再送信のためのダウンリンクスケジューリング割当てを受信する場合に、
前記プロセッサが、動作時、ＲＥＴＲＡＮＳＭＩＳＳＩＯＮ期間の間の通信を、前記第１の帯域幅部分（ＢＰ１）および前記第２の帯域幅部分（ＢＰ２）のうちＴＲＡＮＳＭＩＳＳＩＯＮ期間の間の対応する送信のダウンリンク通信の場合と同じ帯域幅部分を使用するように、設定する、
請求項１から請求項５のいずれか１項に記載の移動端末。
【請求項７】
前記送受信機が、前記ＤＲＸサイクル内の前記通信期間の少なくとも１つの間、少なくとも前記第１の帯域幅部分（ＢＰ１）および前記第２の帯域幅部分（ＢＰ２）のうちの特定の１つを有効にする指示、を含むダウンリンク制御情報（ＤＣＩ）メッセージを受信する場合に、
前記プロセッサが、動作時、前記ＤＲＸサイクル内の前記通信期間のうちの対応する前記少なくとも１つの間の通信を、少なくとも前記第１の帯域幅部分（ＢＰ１）および前記第２の帯域幅部分（ＢＰ２）のうちの指示された前記特定の１つを使用するように、設定する、
請求項１から請求項６のいずれか１項に記載の移動端末。
【請求項８】
動作時、前記送受信機が、
−  前記システム帯域幅内の複数の重なり合わないまたは重なり合う狭い帯域幅部分および広い帯域幅部分の中から、前記第１の帯域幅部分（ＢＰ１）および／または前記第２の帯域幅部分（ＢＰ２）を選択するためのインデックス、
を含む設定メッセージ、オプションとしてダウンリンク制御情報（ＤＣＩ）メッセージ、を受信する、
請求項１から請求項７のいずれか１項に記載の移動端末。
【請求項９】
移動通信システムにおいて、システム帯域幅内の第１の帯域幅部分（ＢＰ１）および第２の帯域幅部分（ＢＰ２）の少なくとも一方を使用して移動端末（２１０）と通信する基地局（２６０）であって、前記基地局が、
動作時、不連続受信（ＤＲＸ）サイクルの設定を送信する送受信機（２７０）と、
動作時、前記ＤＲＸサイクルの前記設定の送信に応じて、前記ＤＲＸサイクル内の通信期間の少なくとも１つの間のダウンリンク通信を、少なくとも前記第１の帯域幅部分（ＢＰ１）および前記第２の帯域幅部分（ＢＰ２）のうちの特定の１つを使用するように設定するプロセッサ（２８０）と、
を備えている、基地局。
【請求項１０】
動作時、前記プロセッサが、
前記ＤＲＸサイクル内の前記通信期間の少なくとも１つの間、少なくとも前記第１の帯域幅部分および前記第２の帯域幅部分のうちの特定の１つを使用することを示す帯域幅使用指示情報、
に従って、前記ダウンリンク通信を設定する、請求項９に記載の基地局。
【請求項１１】
動作時、前記送受信機が、前記帯域幅使用指示情報を、無線リソース制御（ＲＲＣ）メッセージ、ダウンリンク制御情報（ＤＣＩ）メッセージ、または媒体アクセス制御（ＭＡＣ）制御エレメント、を介して送信する、
および／または、
動作時、前記送受信機が、前記帯域幅使用指示情報を、前記ＤＲＸサイクルの前記設定も含むメッセージにおいて送信する、
請求項１０に記載の基地局。
【請求項１２】
前記帯域幅使用指示情報が、前記ＤＲＸサイクル内の少なくともＴＲＡＮＳＭＩＳＳＩＯＮ期間、ＩＮＡＣＴＩＶＥ期間、およびＲＥＴＲＡＮＳＭＩＳＳＩＯＮ期間の間、少なくとも前記第１の帯域幅部分および前記第２の帯域幅部分のうちの特定の１つを使用することを示す、
および／または、
前記帯域幅使用指示情報が、
−  前記ＤＲＸサイクル内の前記ＴＲＡＮＳＭＩＳＳＩＯＮ期間の間の前記第２の帯域幅部分（ＢＰ２）と、前記ＩＮＡＣＴＩＶＥ期間の間の前記第２の帯域幅部分（ＢＰ２）と、前記ＲＥＴＲＡＮＳＭＩＳＳＩＯＮ期間の間の前記第２の帯域幅部分（ＢＰ２）と、を含む第１の用法、または、
−  前記ＤＲＸサイクル内の前記ＴＲＡＮＳＭＩＳＳＩＯＮ期間の間の前記第１の帯域幅部分（ＢＰ１）と、前記ＩＮＡＣＴＩＶＥ期間の間の前記第２の帯域幅部分（ＢＰ２）と、前記ＲＥＴＲＡＮＳＭＩＳＳＩＯＮ期間の間の前記第２の帯域幅部分（ＢＰ２）と、を含む第２の用法、または、
−  前記ＤＲＸサイクル内の前記ＴＲＡＮＳＭＩＳＳＩＯＮ期間の間の前記第１の帯域幅部分（ＢＰ１）と、前記ＩＮＡＣＴＩＶＥ期間の間の前記第１の帯域幅部分（ＢＰ１）と、前記ＲＥＴＲＡＮＳＭＩＳＳＩＯＮ期間の間の前記第２の帯域幅部分（ＢＰ２）と、を含む第３の用法、または、
−  前記ＤＲＸサイクル内の前記ＴＲＡＮＳＭＩＳＳＩＯＮ期間の間の前記第１の帯域幅部分（ＢＰ１）と、前記ＩＮＡＣＴＩＶＥ期間の間の前記第１の帯域幅部分（ＢＰ１）と、前記ＲＥＴＲＡＮＳＭＩＳＳＩＯＮ期間の間の前記第１の帯域幅部分（ＢＰ１）と、を含む第４の用法、
のいずれかを示す、
請求項１０または請求項１１に記載の基地局。
【請求項１３】
前記送受信機がダウンリンク送信またはダウンリンク再送信のためのダウンリンクスケジューリング割当てを送信する場合に、前記プロセッサが、動作時、ＴＲＡＮＳＭＩＳＳＩＯＮ期間またはＲＥＴＲＡＮＳＭＩＳＳＩＯＮ期間の間の前記ダウンリンク通信を、それぞれ、前記第２の帯域幅部分（ＢＰ２）を使用するように設定する、請求項９から請求項１２のいずれか１項に記載の基地局。
【請求項１４】
移動通信システムにおいて、システム帯域幅内の第１の帯域幅部分（ＢＰ１）および第２の帯域幅部分（ＢＰ２）の少なくとも一方を使用して基地局と通信するための移動端末の動作方法であって、前記方法が、以下のステップ、すなわち、
不連続受信（ＤＲＸ）サイクルの設定を受信するステップと、
前記ＤＲＸサイクルの前記設定の受信に応じて、前記ＤＲＸサイクル内の通信期間の少なくとも１つの間のダウンリンク通信を、少なくとも前記第１の帯域幅部分（ＢＰ１）および前記第２の帯域幅部分（ＢＰ２）のうちの特定の１つを使用するように設定するステップと、
を含む、方法。
【請求項１５】
移動通信システムにおいて、システム帯域幅内の第１の帯域幅部分（ＢＰ１）および第２の帯域幅部分（ＢＰ２）の少なくとも一方を使用して移動端末と通信するための基地局の動作方法であって、以下のステップ、すなわち、
不連続受信（ＤＲＸ）サイクルの設定を送信するステップと、
前記ＤＲＸサイクルの前記設定の送信に応じて、前記ＤＲＸサイクル内の通信期間の少なくとも１つの間のダウンリンク通信を、少なくとも前記第１の帯域幅部分（ＢＰ１）および前記第２の帯域幅部分（ＢＰ２）のうちの特定の１つを使用するように設定するステップと、
を含む、方法。
【国際調査報告】
2020529764.tif 000017
2020529764.tif 000018